(57)【要約】  少なくとも１つの第１の使い捨てパンツ製品および少なくとも１つの第２の使い捨てパンツ製品を備えるアレイ。第１の使い捨てパンツ製品は第１の構造を有し、少なくとも外面と吸収性コアの周囲ゾーンが実質的に同じ第１の色を有する。第２の使い捨てパンツ製品が第２の構造を有し、少なくとも外面と吸収性コアの周囲ゾーンが実質的に同じ第２の色を有する。第１および第２の使い捨てパンツ製品の各々が、腰部の内側に配置された情報タグを備え、情報タグの材料が、第１および第２の色とは２０を超える色差△Ｅ＊ａｂだけ異なる第３の色である。第１の構造は、第２の構造とは構造的に異なり、ならびに／または、第１の色は第２の色とは１０を超える色差△Ｅ＊ａｂだけ異なる。
2021526420.tif 000002
【特許請求の範囲】
【請求項１】
少なくとも１つの第１の使い捨てパンツ製品と少なくとも１つの第２の使い捨てパンツ製品とを備えるアレイであって、
各々の第１の使い捨てパンツ製品は、使用時にユーザの腰部を囲む腰部と、腰部の前部と後部とを接続する股部であって、人体滲出物を吸収するための吸収性コアおよび前記吸収性コアを覆う透液性トップシートを備える股部とを備える第１の構造を有し、前記製品は、使用時に前記ユーザの皮膚に面する内面と、前記内面と反対側にあり、使用時に前記ユーザの衣服に面する外面とを有し、前記製品は、前記製品の前記内面および前記外面の色を定める複数の布から構成され、前記透液性トップシートは、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、
各々の第２の使い捨てパンツ製品は、使用時にユーザの腰部を囲む腰部と、前記腰部の前部と後部とを接続する股部であって、人体滲出物を吸収するための吸収性コア、および前記吸収性コアが位置する吸収ゾーンを示しながら前記吸収性コアを覆っている透液性トップシートを備える股部とを備える第２の構造を有し、前記製品は、使用時に前記ユーザの皮膚に面する内面と、前記内面と反対側にあり、使用時に前記ユーザの衣服に面する外面とを有し、前記製品は、前記製品の前記内面および前記外面の色を定める複数の布から構成され、前記透液性トップシートは、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、
各々の第１の使い捨てパンツ製品について、少なくとも前記外面および前記周囲ゾーンは、実質的に同じ第１の色を有し、前記第１の色は、ＣＩＥ  Ｌ＊ａ＊ｂ＊色空間において、相互色差△Ｅ＊ａｂが１０未満であり、
各々の第２の使い捨てパンツ製品について、少なくとも前記外面および前記周囲ゾーンは、実質的に同じ第２の色を有し、前記第２の色は、相互色差△Ｅ＊ａｂが１０未満であり、
前記第１および第２の使い捨てパンツ製品の各々は、前記腰部の内側に配置された情報タグを備え、前記情報タグの材料は、第３の色であり、前記第３の色は、前記第１および前記第２の色とは２０を超える色差△Ｅ＊ａｂだけ異なり、
前記第１の構造は前記第２の構造とは構造的に異なり、ならびに／または、前記第１の色は前記第２の色とは１０を超える色差△Ｅ＊ａｂだけ異なる、アレイ。
【請求項２】
前記第１および／または第２の使い捨てパンツ製品の前記外面は、外面部分からなり、前記第１および／または第２の使い捨てパンツ製品の前記内面は、内面部分からなり、前記吸収ゾーンを除く前記第１の製品のすべての前記内面部分および前記外面部分は、Ｌ＊値が８０未満であり、相互色差△Ｅ＊ａｂが１０未満であり、ならびに／または、前記吸収ゾーンを除く前記第２の製品のすべての前記内面部分および前記外面部分は、Ｌ＊値が８０未満であり、相互色差△Ｅ＊ａｂが１０未満である、請求項１に記載の使い捨てパンツ製品。
【請求項３】
前記第１および／または第２の使い捨てパンツ製品の前記外面は、外面部分からなり、前記第１および／または第２の使い捨てパンツ製品の前記内面は、内面部分からなり、前記吸収ゾーンを除く前記第１の製品のすべての前記内面部分および前記外面部分は、Ｌ＊値が６０未満であり、相互色差△Ｅ＊ａｂが１０未満であり、ならびに／または、前記吸収ゾーンを除く前記第２の製品のすべての前記内面部分および前記外面部分は、Ｌ＊値が６０未満であり、相互色差△Ｅ＊ａｂが１０未満である、請求項１に記載の使い捨てパンツ製品。
【請求項４】
前記第１および／または第２の使い捨てパンツ製品の前記外面は、外面部分からなり、前記第１および／または第２の使い捨てパンツ製品の前記内面は、内面部分からなり、前記第１の製品のすべての前記内面部分および前記外面部分は、Ｌ＊値が８０未満であり、相互色差△Ｅ＊ａｂが１０未満であり、ならびに／または、前記第２の使い捨てパンツ製品のすべての前記内面部分および前記外面部分は、Ｌ＊値が８０未満であり、相互色差△Ｅ＊ａｂが１０未満である、請求項１に記載の使い捨てパンツ製品。
【請求項５】
前記第１および／または第２の使い捨てパンツ製品の前記外面は、外面部分からなり、前記第１および／または第２の使い捨てパンツ製品の前記内面は、内面部分からなり、前記第１の製品のすべての前記内面部分および前記外面部分は、Ｌ＊値が６０未満であり、相互色差△Ｅ＊ａｂが１０未満であり、ならびに／または、前記第２の使い捨てパンツ製品のすべての前記内面部分および外面部分は、Ｌ＊値が６０未満であり、相互色差△Ｅ＊ａｂが１０未満である、請求項１に記載の使い捨てパンツ製品。
【請求項６】
前記第１および／または第２の使い捨てパンツ製品の前記吸収ゾーンは、Ｌ＊値が９０未満であり、前記周囲ゾーンおよび／または前記外面に対して色差△Ｅ＊ａｂが５を超える、請求項１に記載のアレイ。
【請求項７】
前記構造の違いは、前記第１の製品が男性ユーザに対して最適化され、一方、前記第２の製品が女性ユーザに対して最適化されている点である、請求項１から６のいずれか一項に記載のアレイ。
【請求項８】
前記構造の違いは、前記第１および前記第２の製品が異なるサイズを有する点である、請求項１から６のいずれか一項に記載のアレイ。
【請求項９】
前記構造の違いは、前記第１の製品が前記腰部に弾性糸を備える縫い合せパンツ製品であり、一方、前記第２の製品がそのような縫い合せパンツ製品ではない点である、請求項１から６のいずれか一項に記載のアレイ。
【請求項１０】
前記構造の違いは、前記第１の製品が前記腰部に弾性積層体を備える層状パンツ製品であり、一方、前記第２の製品がそのような層状パンツ製品ではない点である、請求項１から６のいずれか一項に記載のアレイ。
【請求項１１】
前記第１の色と前記第２の色とは実質的に同じである、請求項１から１０のいずれか一項に記載のアレイ。
【請求項１２】
前記第１の色と前記第２の色とは、１０を超える色差△Ｅ＊ａｂだけ異なる、請求項１から１０のいずれか一項に記載のアレイ。
【請求項１３】
前記第１および第２の色はＬ＊値が８０未満である、請求項１から１２のいずれか一項に記載のアレイ。
【請求項１４】
前記第１および第２の色はＬ＊値が６０未満である、請求項１から１３のいずれか一項に記載のアレイ。
【請求項１５】
前記第１および第２の製品の各々について、前記腰部の前記後部に前記情報タグが配置される、請求項１から１４のいずれか一項に記載のアレイ。
【請求項１６】
前記第１および第２の製品の各々について、前記吸収性コアは、前記透液性トップシートを通して可視である、請求項１から１５のいずれか一項に記載のアレイ。
【請求項１７】
前記情報タグはプリントまたはエンボス加工される、請求項１から１６のいずれか一項に記載のアレイ。
【請求項１８】
前記第１および第２の製品の各々について、前記情報タグ上にロットコードまたはロット番号または製造コードが位置する、請求項１から１７のいずれか一項に記載のアレイ。
【請求項１９】
使い捨てパンツ製品のアレイを製造する方法であって、
使用時にユーザの腰部を囲む腰部と、前記腰部の前部と後部とを接続する股部であって、人体滲出物を吸収するための吸収性コアおよび前記吸収性コアを覆う透液性トップシートを備える股部とを備える第１の構造を有する複数の第１の製品を製造するステップであって、前記製品が、使用時に前記ユーザの皮膚に面する内面と、前記内面と反対側にあり、使用時に前記ユーザの衣服に面する外面とを有し、前記製品が、前記製品の前記内面および前記外面の色を定める複数の布から構成され、前記透液性トップシートが、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、各々の前記第１の使い捨てパンツ製品について、少なくとも前記外面および前記周囲ゾーンが、実質的に同じ第１の色を有し、前記第１の色は、ＣＩＥ  Ｌ＊ａ＊ｂ＊色空間において、相互色差△Ｅ＊ａｂが１０未満である、ステップと、
使用時に前記ユーザの腰部を囲む腰部と、前記腰部の前部と後部とを接続する股部であって、人体滲出物を吸収するための吸収性コアおよび前記吸収性コアを覆う透液性トップシートを備える股部とを備える第１の構造を有する複数の第２の製品を製造するステップであって、前記製品が、使用時に前記ユーザの皮膚に面する内面と、前記内面と反対側にあり、使用時に前記ユーザの衣服に面する外面とを有し、前記製品が、前記製品の前記内面および前記外面の色を定める複数の布から構成され、前記透液性トップシートが、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、各々の第２の使い捨てパンツ製品について、少なくとも前記外面および前記周囲ゾーンが、実質的に同じ第２の色を有し、前記第２の色は、相互色差△Ｅ＊ａｂが１０未満であり、前記第１および第２の使い捨てパンツ製品の各々について、前記第１の構造が前記第２の構造とは構造的に異なり、ならびに／または、前記第１の色は前記第２の色とは１０を超える色差△Ｅ＊ａｂだけ異なる、ステップと、
前記第１および第２の製品の各々の前記腰部の内側に情報タグを取り付けるステップであって、情報タグの材料が、前記第１および第２の色とは２０を超える色差△Ｅ＊ａｂだけ異なる第３の色である、ステップとを含む方法。
【発明の詳細な説明】
【技術分野】
【０００１】
本開示は、使い捨てパンツ製品のアレイに関する。本開示は、使い捨てパンツ製品のアレイを製造するための方法にも関する。
【背景技術】
【０００２】
たとえば、失禁用ライナー、おむつ、および生理用ナプキンの形をした使い捨て吸収性製品が公知である。そのような吸収性製品の一般的な目的は、様々な種類の人体滲出物を吸収し、分散させ、格納し、一方、吸収性製品の使用時に装着者に高度の快適さおよび乾燥感を与えることである。さらに、そのような吸収性製品は、装着者がそのような人体滲出物によって衣服を汚すのを防止するように構成される。
【０００３】
失禁用品の形をした吸収性製品は、装着者を尿漏れから保護するために使用される。失禁用品は、乳児、小児、もしくは成人の男性または女性ユーザによって使用されるようになっている、たとえば、パンツ型おむつ、生理用パンツ、または失禁パンツとして構成することができる。さらに、失禁用品は、装着したときに製品に放出されることが予期される流体を吸収するようになっている吸収容量を有するように設計される。失禁用品は、失禁の患者を、失禁によって何らかの不便さをもたらされることなしに通常の生活を維持できるように助けるために使用される。
【０００４】
従来技術の失禁用吸収性製品は通常、白色であり、プリントを有する場合も有さない場合もある。外側を着色された有色製品も市販されている。しかし、多くの従来技術の製品は依然としておむつに非常に近い形状であり、したがって、ユーザが好まないことが多く、ユーザは失禁用であることが目立たないような製品を望んでいる。ユーザは、失禁用品を使用していることをずっと意識したままでいることを望まず、失禁用品を使用していることを他人に示すことを望まず、同時に、製品の使用中に安心感を抱くことを望む。
【０００５】
有色材料は製造コストが高くなることがある。有色材料は、供給業者が、一括生産後に必要となる清掃に起因して材料の多くを無駄にすることが原因で、本来より高価である。さらに、製品の白色層または後続の製品が色汚れする恐れがあり、それによって、同様に製品の多くが廃棄され、製品を一括生産した後で清掃が必要になることにも起因して、吸収性製品を製造する際に有色材料を使用することは避けられる。
【０００６】
したがって、より低いコストで製造できる、失禁用であることがより目立たない使い捨てパンツ製品が必要である。
【先行技術文献】
【特許文献】
【０００７】
【特許文献１】ＷＯ２００５／１２２９８５
【特許文献２】ＷＯ２００７／１３３１２７
【特許文献３】ＷＯ２０１６／０６８７６４
【特許文献４】２００３／００２８１６６
【特許文献５】米国特許第２００９／０２７５９１１号
【特許文献６】ＷＯ０３／０４７４８８
【発明の概要】
【発明が解決しようとする課題】
【０００８】
本開示の第１の目的は、より低いコストで製造できる使い捨てパンツ製品のアレイを提供することである。
【０００９】
本開示の第２の目的は、失禁用であることがより目立たない使い捨てパンツ製品のアレイを提供することである。
【００１０】
本開示の第３の目的は、より下着に近い使い捨てパンツ製品のアレイを提供することである。
【００１１】
本開示の第４の目的は、使い捨てパンツ製品のアレイ用のより低コストの製造方法を提供することである。
【課題を解決するための手段】
【００１２】
本開示は、第１の態様によれば、少なくとも１つの第１の使い捨てパンツ製品と少なくとも１つの第２の使い捨てパンツ製品とを備えるアレイであって、各々の第１の使い捨てパンツ製品が、使用時にユーザの腰部を囲む腰部と、腰部の前部と後部とを接続する股部であって、人体滲出物を吸収するための吸収性コアおよび吸収性コアを覆う透液性トップシートを備える股部とを備える第１の構造を有し、製品が、使用時にユーザの皮膚に面する内面と、内面と反対側にあり、使用時にユーザの衣服に面する外面とを有し、製品が、製品の内面および外面の色を定める複数の布から構成され、透液性トップシートが、布のうちの１つであり、内面の一部として、トップシート上に吸収ゾーンが画定され、トップシートの下に吸収性コアが位置し、内面の一部として、トップシート上に、吸収ゾーンに隣接し吸収ゾーンを少なくとも部分的に囲む周囲ゾーンが画定され、各々の第２の使い捨てパンツ製品が、使用時にユーザの腰部を囲む腰部と、腰部の前部と後部とを接続する股部であって、人体滲出物を吸収するための吸収性コア、および吸収性コアが位置する吸収ゾーンを示しながら吸収性コアを覆っている透液性トップシートを備える股部とを備える第２の構造を有し、製品が、使用時にユーザの皮膚に面する内面と、内面と反対側にあり、使用時にユーザの衣服に面する外面とを有し、製品が、製品の内面および外面の色を定める複数の布から構成され、透液性トップシートが、布のうちの１つであり、内面の一部として、トップシート上に吸収ゾーンが画定され、トップシートの下に吸収性コアが位置し、内面の一部として、トップシート上に、吸収ゾーンに隣接し吸収ゾーンを少なくとも部分的に囲む周囲ゾーンが画定され、各々の第１の使い捨てパンツ製品について、少なくとも外面および前記周囲ゾーンが、実質的に同じ第１の色を有し、ＣＩＥ  Ｌ＊ａ＊ｂ＊色空間において、相互色差△Ｅ＊ａｂが１０未満であり、各々の第２の使い捨てパンツ製品について、少なくとも外面および前記周囲ゾーンが、実質的に同じ第２の色を有し、相互色差△Ｅ＊ａｂが１０未満であり、第１および第２の使い捨てパンツ製品の各々が、前記腰部の内側に配置された情報タグを備え、情報タグの材料が、第３の色であり、第３の色は、第１および第２の色とは２０を超える色差△Ｅ＊ａｂだけ異なり、第１の構造が第２の構造とは構造的に異なり、ならびに／または、第１の色は第２の色とは１０を超える色差△Ｅ＊ａｂだけ異なるアレイを提供する。
【００１３】
本明細書で使用するように、「アレイ」は、同様の製品構成（同じ吸収材インサート、筐体構成、材料など［構成および／もしくは構造の点で同じ］）を有する異なるサイズの使い捨て製品、または取扱い製品／品揃え内の異なる種類の使い捨て製品を備えるパッケージまたは製品のディスプレイを意味し、たとえば、取扱い製品／品揃えがパンツ吸収性製品である場合、異なる種類は積層パンツまたは縫い合せパンツとすることができる。パッケージは、同じブランドおよび／またはサブブランドを有し、前記パッケージは、小売店の所与の領域内で互いに近接して配置されるか、または製品はカタログ内に製品提供として一緒に配置される。
【００１４】
「アレイ」は、たとえば、同様の製品構成（同じ吸収材インサート、筐体構成、材料など［構成および／もしくは構造の点で同じ］）を有する異なるサイズの使い捨てパンツ製品を備えるパッケージもしくは製品のディスプレイである「アレイ」は、通常、異なる個々のパッケージがより大きいラインアップの一部であり、アレイ内の製品がたとえば、異なるサイズ向けに設計されていることを消費者に伝える同様のパッケージ要素（たとえば、パッケージ材料タイプ、フィルム、紙、主色、デザインテーマなど）を有する製品のラインアップとして市販される。そのようなアレイは、同じブランドおよび同じサブブランドを有することが多い。そのようなアレイは、ラインアップ全体にわたるブランド、サブバンド、ならびに／または特徴および／もしくは利益の商標を含む同じ商標を有することも多い。
【００１５】
本開示によるアレイでは、すべての製品が、同じまたは実質的に同じ情報タグを腰部上の実質的に同じ位置に有する。さらに、色は製品の色とは異なる。したがって、情報タグ同士は区別可能であり、製品の内側をユーザに示すように配置される。使い捨てパンツ製品は、使い捨て吸収性製品である。
【００１６】
本開示によるアレイの実施形態では、製品が「完全に着色され」てもよく、すなわち、腰部および股部に使用される外側および内側の材料／布はすべて同じ色を有してもよい。その結果、製造時の色汚れの問題が回避される。外側および内側の布の下に配置される他の材料が、着色されてもよく、吸収性製品の色に影響を与える。
【００１７】
本開示によるアレイの実施形態では、前記第１および／または第２の使い捨てパンツ製品の前記外面は、まとまって前記外面を形成する外面部分を備えてもよく、前記第１および／または第２の使い捨てパンツ製品の前記内面は、まとまって前記内面を形成する内面部分を備えてもよく、前記吸収ゾーンを除く前記第１の製品のすべての内面部分および外面部分は、Ｌ＊値が８０未満であり、相互色差△Ｅ＊ａｂが１０未満であり、ならびに／または、前記吸収ゾーンを除く前記第２の製品のすべての内面部および外面部分は、Ｌ＊値が８０未満であり、相互色差△Ｅ＊ａｂが１０未満である。
【００１８】
本開示によるアレイの実施形態では、前記第１および／または第２の使い捨てパンツ製品の前記外面は、まとまって前記外面を形成する外面部分を備えてもよく、前記第１および／または第２の使い捨てパンツ製品の前記内面は、まとまって前記内面を形成する内面部分を備えてもよく、前記吸収ゾーンを除く前記第１の製品のすべての内面部分および外面部分は、Ｌ＊値が６０未満であり、相互色差△Ｅ＊ａｂが１０未満であり、ならびに／または、前記吸収ゾーンを除く前記第２の製品のすべての内面部分および外面部分は、Ｌ＊値が６０未満であり、相互色差△Ｅ＊ａｂが１０未満である。
【００１９】
本開示によるアレイの実施形態では、前記第１および／または第２の使い捨てパンツ製品の前記外面は、まとまって前記外面を形成する外面部分を備えてもよく、前記第１および／または第２の使い捨てパンツ製品の前記内面は、まとまって前記内面を形成する内面部分を備えてもよく、前記吸収ゾーンを除く前記第１の製品のすべての内面部分および外面部分は、Ｌ＊値が８０未満であり、相互色差△Ｅ＊ａｂが１０未満であり、ならびに／または、前記吸収ゾーンを除く前記第２の使い捨てパンツ製品のすべての内面部分および外面部分は、Ｌ＊値が８０未満であり、相互色差△Ｅ＊ａｂが１０未満である。
【００２０】
本開示によるアレイの実施形態では、前記第１および／または第２の使い捨てパンツ製品の前記外面は、まとまって前記外面を形成する外面部分を備えてもよく、前記第１および／または第２の使い捨てパンツ製品の前記内面は、まとまって前記内面を形成する内面部分を備えてもよく、前記吸収ゾーンを除く前記第１の製品のすべての内面部分および外面部分は、Ｌ＊値が６０未満であり、相互色差△Ｅ＊ａｂが１０未満であり、ならびに／または、前記吸収ゾーンを除く前記第２の使い捨てパンツ製品のすべての内面部分および外面部分は、Ｌ＊値が６０未満であり、相互色差△Ｅ＊ａｂが１０未満である。
【００２１】
外面の外側部分のうちの１つは股部の不透液性バックシートであってもよい。外面の各部分のうちの１つは、腰部を形成する弾性不織積層体または弾性不織積層体を形成するシートのうちの１つであってもよい。そのような弾性積層体は、２つの不織材料の間に挟まれた弾性膜および／または弾性ストランドなどの弾性手段を有する２つの非弾性不織材料を備えてもよい。代替として、弾性不織材料が腰部を形成することができる。同時に、腰部の外面の一部を形成する弾性積層体または弾性不織材料は、腰部の内面の一部であってもよい。下に材料を有するトップシートは、内面の一部を形成してもよい。
【００２２】
少なくとも周囲ゾーンの領域における外面および内面の色が同じであり、すなわち、△Ｅ＊ａｂが１０未満であることに起因して、本開示のパンツ製品は、色がより一様である。色がより一様であることの結果として、本開示によるパンツ製品は、たとえば、通常の下着に類似しており、しかも（吸収性コアの存在を示すことによって）装着者に安心感を与えるような設計を有する失禁製品に対する要求を満たすことができる。失禁製品であることが目立たないパンツ製品は、装着者に高度の自信、快適さ、および自尊心を与えることができ、それぞれに異なるライフスタイルを有するユーザの失禁保護を可能にすることができる。
【００２３】
本開示によるアレイの実施形態では、前記第１および／または第２の使い捨てパンツ製品の各々の吸収ゾーンは、ＣＩＥ  Ｌ＊ａ＊ｂ＊色空間において、Ｌ＊値が９０未満であり、前記周囲ゾーンおよび／または前記外面に対して色差△Ｅ＊ａｂが５を超えてもよい。
【００２４】
本開示による実施形態では、構造の違いは、第１の製品が男性ユーザに対して最適化され、一方、第２の製品が女性ユーザに対して最適化されている点であってもよい。たとえば、第１の製品のカットまたは形状が、第２の製品とは異なり、ならびに／または、弾性糸の位置および／もしくは数が異なってもよい。
【００２５】
本開示による実施形態では、構造の違いは、第１および第２の製品が異なるサイズを有する点であってもよい。本開示によるアレイは、たとえば、ＸＳ（極小）、Ｓ（小）、Ｍ（中）、Ｌ（大）、ＸＬ（極大）などの各サイズの製品を備えてもよい。
【００２６】
本開示による実施形態では、構造の違いは、第１の製品が腰部に弾性糸を備える縫い合せパンツ製品であり、一方、第２の製品がそのような縫い合せパンツ製品ではない点であってもよい。
【００２７】
本開示による実施形態では、構造の違いは、第１の製品が腰部に弾性膜積層体を備える層状パンツ製品であり、一方、第２の製品がそのような層状パンツ製品ではない点であってもよい。
【００２８】
本開示による実施形態では、第１の色と第２の色は実質的に同じであってもよい。第１の色と第２の色は実質的に同じであり、すなわち、△Ｅ＊ａｂが１０未満であってもよい。本開示によるアレイは、実質的に同じ色であり、構造の違いを有する製品を備えるだけでよい。
【００２９】
本開示による実施形態では、第１の色と第２の色は、１０を超える色差△Ｅ＊ａｂだけ異なってもよく、すなわち、本開示によるアレイは、色が異なり、構造の違いを有する場合も有さない場合ある製品を備えてもよい。
【００３０】
本開示による実施形態では、吸収性パンツ製品のアレイは、男性および女性パンツ製品、異なるサイズの製品、縫い合せ型および／もしくは層状型パンツ製品、ならびに／または異なる色の製品の任意の組合せを備えてもよい。
【００３１】
本開示による実施形態では、第１および第２の色はＬ＊値が８０未満であってもよい。
【００３２】
本開示による実施形態では、第１および第２の色はＬ＊値が６０未満であってもよい。
【００３３】
本開示による実施形態では、前記第１および第２の製品の各々について、腰部の後部に情報タグが配置される。
【００３４】
本開示による実施形態では、第１および第２の製品の各々について、吸収性コアは、透液性トップシートを通して可視であってもよい。たとえば、吸収性コアの存在は、トップシートを通して吸収性コア（すなわち、吸収ゾーン）が見えることのみによって示されてもよい。コアは、トップシートよりも明るい色の材料であってもよい。
【００３５】
本開示による実施形態では、情報タグがプリントまたはエンボス加工されてもよく、すなわち、プリントおよび／またはエンボス加工によってタグ上に情報が設けられてもよい。そのような情報の例として、ロットコード、製造コード、ロゴ、および／またはサイズ表示がある。
【００３６】
本明細書で説明する他の態様および実施形態と組み合わされてもよい第２の態様では、本開示は、使い捨てパンツ製品のアレイを製造する方法であって、（ｉ）使用時にユーザの腰部を囲む腰部と、腰部の前部と後部とを接続する股部であって、人体滲出物を吸収するための吸収性コアおよび吸収性コアを覆う透液性トップシートを備える股部とを備える第１の構造を有する複数の第１の製品を製造するステップであって、製品が、使用時にユーザの皮膚に面する内面と、内面と反対側にあり、使用時にユーザの衣服に面する外面とを有し、製品が、製品の内面および外面の色を定める複数の布から構成され、透液性トップシートが、布のうちの１つであり、内面の一部として、トップシート上に吸収ゾーンが画定され、トップシートの下に吸収性コアが位置し、内面の一部として、トップシート上に、吸収ゾーンに隣接し吸収ゾーンを少なくとも部分的に囲む周囲ゾーンが画定され、各々の第１の使い捨てパンツ製品について、少なくとも外面および前記周囲ゾーンが、実質的に同じ第１の色を有し、ＣＩＥ  Ｌ＊ａ＊ｂ＊色空間において、相互色差△Ｅ＊ａｂが１０未満である、ステップと、（ｉｉ）使用時にユーザの腰部を囲む腰部と、腰部の前部と後部とを接続する股部であって、人体滲出物を吸収するための吸収性コアおよび吸収性コアを覆う股部とを備える第１の構造を有する複数の第２の製品を製造するステップであって、製品が、使用時にユーザの皮膚に面する内面と、内面と反対側にあり、使用時にユーザの衣服に面する外面とを有し、製品が、製品の内面および外面の色を定める複数の布から構成され、透液性トップシートが、布のうちの１つであり、内面の一部として、トップシート上に吸収ゾーンが画定され、トップシートの下に吸収性コアが位置し、内面の一部として、トップシート上に、吸収ゾーンに隣接し吸収ゾーンを少なくとも部分的に囲む周囲ゾーンが画定され、各々の第２の使い捨てパンツ製品について、少なくとも外面および前記周囲ゾーンが、実質的に同じ第２の色を有し、相互色差△Ｅ＊ａｂが１０未満である、ステップと、（ｉｉｉ）第１および第２の製品の各々の前記腰部の内側に情報タグを取り付けるステップであって、情報タグの材料が、第１および第２の色とは２０を超える色差△Ｅ＊ａｂだけ異なる第３の色である、ステップとを含む方法を提供する。第１および第２の製品のすべてについて、第１の構造は、第２の構造とは構造的に異なり、ならびに／または、第１の色は、第２の色とは１０を超える色差△Ｅ＊ａｂだけ異なる。
【００３７】
少なくとも外面および周囲ゾーン、すなわち、前記第１および第２の製品の少なくとも一方の吸収ゾーンを少なくとも部分的に囲む透液性トップシート上のゾーンは、実質的に同じ色を有し、ＣＩＥ  Ｌ＊ａ＊ｂ＊色空間において相互色差△Ｅ＊ａｂが１０未満であってもよい。
【００３８】
少なくとも外面および周囲ゾーン、すなわち、前記第１および第２の製品の両方の吸収ゾーンを少なくとも部分的に囲む透液性トップシート上のゾーンは、実質的に同じ色を有し、ＣＩＥ  Ｌ＊ａ＊ｂ＊色空間において相互色差△Ｅ＊ａｂが１０未満であってもよい。同じであるかまたは実質的に同じ色の布を使用することによって、色汚れを回避するための第１および第２の製品の生産工程間の清掃を不要にすることができ、その結果、製造プロセスはより効率的でかつしたがってより経済的になる。
【００３９】
以下に、添付の図面を参照しながら本開示についてより詳細に説明する。
【図面の簡単な説明】
【００４０】
【図１】本開示によるアレイの製品の実施形態の第１のセットを示す、吸収性パンツ製品の実施形態の斜視図である。
【図２】本開示によるアレイの製品の実施形態の第１のセットを示す、平坦な非収縮状態の吸収性パンツ製品の簡略平面図である。
【図３】本開示によるアレイの製品の実施形態の第１のセットを示す、図２における線ＩＩＩ−ＩＩＩによる断面図である。
【図４】本開示によるアレイの製品の実施形態の第１のセットを示す、本発明による弾性積層体における断面図である。
【図５】本開示によるアレイの製品の実施形態の第１のセットを示す、図２における線Ｖ−Ｖによる概略断面図である。
【図６】本開示によるアレイの製品の実施形態の第１のセットを示す、図５と同様であるが別の実施形態を示す概略断面図である。
【図７】本開示によるアレイの製品の実施形態の第１のセットを示す、図２と同様であるが吸収性パンツ製品のさらなる実施形態を示す平面図である。
【図８ａ】本開示によるアレイの製品の実施形態の第２のセットを示す、本開示による吸収性製品の斜視正面図である。
【図８ｂ】本開示によるアレイの製品の実施形態の第２のセットを示す、吸収性製品の腰部縁部形成部の拡大断面の斜視図である。
【図９】本開示によるアレイの製品の実施形態の第２のセットを示す、吸収性製品の上面図である。
【図１０】本開示によるアレイの製品の実施形態の第２のセットを示す、本開示による吸収性製品用の製造プロセスの概略図である。
【図１１ａ】本開示によるアレイの製品の実施形態の第２のセットを示す、本開示による吸収性製品の代替実施形態の断面図である。
【図１１ｂ】本開示によるアレイの製品の実施形態の第２のセットを示す、本開示による吸収性製品の代替実施形態の断面図である。
【図１１ｃ】本開示によるアレイの製品の実施形態の第２のセットを示す、本開示による吸収性製品の代替実施形態の断面図である。
【図１１ｄ】本開示によるアレイの製品の実施形態の第２のセットを示す、本開示による吸収性製品の代替実施形態の断面図である。
【図１１ｅ】本開示によるアレイの製品の実施形態の第２のセットを示す、本開示による吸収性製品の代替実施形態の断面図である。
【図１１ｆ】本開示によるアレイの製品の実施形態の第２のセットを示す、本開示による吸収性製品の代替実施形態の断面図である。
【図１２】本開示によるアレイの製品の実施形態の第２のセットを示す、前記吸収性製品の股部の断面図である。
【図１３ａ】本開示によるアレイの製品の実施形態の第２のセットを示す、男性の人体構造に適合された、第１の構成を示す、背部から見た吸収性製品の斜視図である。
【図１３ｂ】本開示によるアレイの製品の実施形態の第２のセットを示す、女性の人体構造に適合された、第２の構成を示す、背部から見た吸収性製品の斜視図である。
【図１４】本開示によるアレイの実施形態を概略的に示す図である。
【図１５】本開示によるアレイの実施形態を概略的に示す図である。
【図１６】本開示によるアレイの実施形態を概略的に示す図である。
【発明を実施するための形態】
【００４１】
本開示について、特定の実施形態に関し、いくつかの図面を参照しながら説明するが、本開示はそれらの実施形態および図面に限定されず、特許請求の範囲によってのみ限定される。上記の図面は概略的にものに過ぎず、非制限的である。図面では、要素のうちのいくつかのサイズが誇張されており、例示を目的として一定の縮尺では描かれていない。各寸法および相対寸法は、本開示の実施に対する実際の縮小に必ずしも対応するものではない。
【００４２】
さらに、説明における、および特許請求の範囲における第１、第２、第３などの用語は、同様の要素を区別するために使用され、必ずしも順次的に説明するものでもまたは時系列順に説明するためのものではない。これらの用語は、適切な状況下で交換可能であり、本開示の実施形態は、本明細書で説明または図示する順序以外の順序で動作することができる。
【００４３】
さらに、説明における、および特許請求の範囲における頂部、底部、上、下などの用語は、説明のために使用され、必ずしも相対位置を表すためのものではない。そのように使用される用語は、適切な状況下で交換可能であり、本明細書で説明する開示の実施形態は、本明細書で説明または図示する向き以外の向きに動作することができる。
【００４４】
さらに、様々な実施形態は、「好ましい実施形態」と呼ばれているが、本開示の範囲を制限するものではなく、本開示が実施されることがある例示的な方法と解釈すべである。
【００４５】
特許請求の範囲で使用される「備える」という用語は、以下に記載される要素またはステップに制限されるものとして解釈すべきではなく、他の要素またはステップを除外しない。この用語は、参照される特徴、整数、ステップ、もしくは構成要素の存在を指定するものと解釈する必要があるが、１つもしくは複数の他の特徴、整数、ステップ、もしくは構成要素、またはそれらの群の存在もしくは追加を妨げない。したがって、「ＡとＢとを備えるデバイス」という表現の範囲は、構成要素ＡおよびＢのみからなるデバイスに限定されるべきではなく、むしろ本開示に関しては、デバイスの唯一の列挙された構成要素はＡおよびＢであり、さらにこの請求項が、それらの構成要素の均等物を含むものとして解釈すべきである。
【００４６】
本開示による吸収性製品の実施形態の第１のセットについて、特に弾性膜積層体型パンツ製品について、図１〜図７を参照して説明する。図１４ａおよび図１４ｂは、そのような製品の内側および外側を概略的に示す。
【００４７】
そのような弾性膜積層体型パンツ製品は、パンツ形筐体と、筐体と一体化された吸収性コア構成要素とを含む腰部と股部とを備える。この製品は、装着者に心地よくかつぴったりと装着されるようになっている。さらに、製品を装着者の臀部上で上下に引っ張ることができ、それによって装着者または看護者が、製品を容易に装着し、製品が汚れたときに容易に取り外すのを可能にすることがさらに望ましい。したがって、筐体の一部は、繊維材料の第１および第２の層と、第１の層と第２の層との間に配置された弾性膜層とを備える弾性積層体から構成される。そのような製品は、たとえば、ＷＯ２００５／１２２９８５、ＷＯ２００７／１３３１２７、およびＷＯ２０１６／０６８７６４から知られている。この種の弾性積層体から構成された筐体は、比較的平滑であり、たとえば、２００３／００２８１６６および米国特許第２００９／０２７５９１１号で開示されたような繊維材料間に挟まれた弾性ストランドを備える積層体と比較して、しわが少ない。
【００４８】
図１および図２に開示された弾性膜積層体型吸収性製品１は、一対の下着のように装着者の胴の下部を囲むようになっている。製品１は、吸収性コア２を含むコア領域３を備え、吸収性コア２は「吸収ゾーン」を画定する。製品１は、筐体４をさらに備える。製品は、長手方向（ｙ）および横方向（ｘ）を有する。筐体４は前部５および後部６を備え、前部５および後部６はまとまって、使用時に装着者の腰部を囲む腰部を形成する。前部５は、前部横縁部７と、第１および第２の長手方向側縁部８および９とを有する。後部６は、後部横端縁部１０と、第１および第２の長手方向側縁部１１および１２とを有する。前部５および後部６は、それらのそれぞれの第１および第２の長手方向側縁部に沿って超音波溶接、接着剤ストリングなどによって互いに接合され、第１および第２の側部継目１３を形成し、腰部開口部１５を画定する。
【００４９】
筐体は、細長い弾性部材１８ａを備える弾性腰部バンド１８をさらに備えてもよい。弾性腰部バンド１８は、前部および後部５および６の横端縁部７および１０に固定されている。弾性腰部バンド部分１８は、前記側部継目１３および１４に沿って互いに連結される。代替として、弾性腰部バンドは、弾性糸またはバンドなどの１つまたは複数の細長い弾性部材によって弾性化された実質的に非弾性の不織材料の第１および第２のプライを備えてもよい。第１および第２のプライは、折り畳まれた単一の材料層から形成することができ、または材料の２つの別個のストリップから作ることができる。さらなる選択肢として、前部および後部パネルの一部でもある１つまたは複数の非弾性不織層から一部を形成し、その連続する延長部を形成する。弾性前部および後部パネルの腰部縁部に沿った部分を二つ折りし、場合によっては、追加の弾性要素によって折り畳まれた部分を補完することによって、弾性腰部要素を形成することも考えられる。
【００５０】
製品１は、製品の長手方向において前部５と後部６との間に配置された接続部１９をさらに備える。接続部１９は、股部１９ａと、第１および第２の脚部開口部１６および１７とを画定する。接続部１９と前部および後部６との間の境界は、脚部開口部１６および１７に隣接する側部継目１３および１４の下縁部間を延びる横線に沿っている。したがって、脚部開口部１６および１７全体が接続部１９内に位置する。コア領域３は、接続部１９内に位置し、前部および／または後部６内に延びてもよい。
【００５１】
図２に示すパンツ製品では、接続部１９は、脚部開口部１６および１７内に、接続部１９の幅が急激に大きくなる画定された点を有する。これらの点は、１６ａ、１６ｂ、１７ａ、１７ｂとして示されている。図７に示すパンツ製品では、脚部開口部１６および１７は、曲率半径がそのように急激に変化することがない概ね連続的な湾曲を有する。
【００５２】
バックシート材料２５は、吸収性コア２および吸収性コア２のすぐ外側に隣接する領域の下に位置する。バックシートは、不透液性であることが好ましい。バックシート２５によって覆われる領域はコア領域３として画定される。透液性トップシート材料２６は、吸収性コア２の装着者に面する側に配置され、それによって吸収性コア２は、バックシート部材２５とトップシート材料２６との間に挟まれる。吸収性コア２、バックシート２５、およびトップシート２６は吸収性アセンブリを形成する。
【００５３】
バックシート２５に使用される好ましくは不透液性の材料は、薄いプラスチック膜、たとえばポリエチレンまたはポリプロピレン膜、不透液性材料で覆われた不織材料、液体浸透に抵抗する疎水性不織材料、またはプラスチック膜および不織材料を備える積層体であってもよい。バックシート２５は、蒸気が吸収性コアから逃げるのを可能にするように通気性を有し、しかも液体が通過するのを妨げてもよい。通気性バックシート材料の例には、多孔質ポリマー膜、スパンボンド層およびメルトブローによる不織積層体、多孔質ポリマー膜および不織材料による積層体がある。
【００５４】
トップシート２６に使用される透液性材料は、不織材料、たとえばスパンボンド材料、メルトブロー材料、カーデッド材料、ハイドロエンタングル材料、湿式不織材料などであってもよい。適切な不織材料は、ポリエステル、ポリエチレン、ポリプロピレン、ビスコースなどの人工繊維、または木材パルプもしくは綿繊維などの天然繊維、または天然繊維と人工繊維の混合物から構成することができる。トップシート材料のさらなる例には、多孔質フォーム、開口プラスチック膜などがある。
【００５５】
有色不織材料は、トップシート２６に使用され、好ましくは製品の外側の色を定める製品の少なくとも布層と同じであるかまたは実質的に同じ色を有するトップシート２６に使用されることが好ましい。吸収ゾーン、すなわちコアが位置するゾーンは、コアの結果としてより明るい色であることが好ましく、コアは、全体的に比較的明るい色であり、トップシート２６の不織材料を通して光って見えてもよい。
【００５６】
有色材料は、バックシート２５にも使用され、好ましくはトップシート２６と同じ色であることが好ましい。
【００５７】
吸収性コア２は、任意の従来の種類の吸収性コアとすることができる。吸収性コアに使用される一般的な吸収性材料の例には、セルロースフラッフパルプ、組織層、高吸収性ポリマー（いわゆる超吸収材）、吸収性フォーム材料、吸収性不織材料などがある。一般に、吸収性コアではセルロースフラッフパルプが超吸収性ポリマーと組み合わされる。
【００５８】
従来、吸収性製品は、液体受容能力、液体分配能力および貯蔵能力に関してそれぞれに異なる特性を有する層を備える吸収性コア２を有する。薄い吸収性本体は、乳児のおむつおよび失禁用品では広く使用されているが、セルロースフラッフパルプと超吸収性ポリマーの圧縮された混合構造または層状構造を備えることが多い。吸収性コアのサイズおよび吸収力は、幼児用または成人の失禁患者用などのそれぞれに異なる用途に適するように変えてもよい。
【００５９】
吸収性コア２は、一次吸収性本体の頂部に配置され、排出された液体が一次吸収性コアに吸収される前にその液体を迅速に受容し一時的に貯蔵するように適合された取得分配層（図示せず）をさらに含んでもよい。そのような取得分配層は、当技術分野で公知であり、多孔質繊維ワッディングまたはフォーム材料で構成されてもよい。
【００６０】
コアの少なくとも頂部側を形成する層または布、たとえば、取得層は、好ましくはより明るい色であり、好ましくは少なくともトップシート２６よりも明るく、たとえば、Ｌ＊値が９０を超え、たとえば、白色または実質的に白色である。
【００６１】
前部５および後部６の少なくとも一部または全体が弾性積層材料２０から構成されてもよい。「弾性」という用語は、材料に力を加えて材料を延ばすことができ、次いで力が除去された後材料を初期長さへと、または初期長さに向かって収縮させることができることを意味する。パンツ型吸収性製品で使用される弾性積層体２０は、製品のｘ方向における弾性が少なくとも３０％、好ましくは少なくとも５０％、より好ましくは少なくとも７０％であってもよい。弾性積層体材料２０は、製品のｙ方向においても弾性であってもよい。しかし、ｙ方向の弾性はｘ方向の弾性よりも低いことが好ましい。
【００６２】
弾性積層体材料２０は、製品のｙ方向でも弾性を有することが好ましい。しかし、ｙ方向の弾性はｘ方向の弾性よりも低いことが好ましい。
【００６３】
「非弾性」という用語は、上で与えた「弾性」材料の定義の範囲内ではないあらゆる材料を指す。
【００６４】
弾性積層体２０は、コア領域３および筐体領域４全体を含む製品全体を覆ってもよい。しかし、好ましい実施形態では、製品の接続部１９の一部は、弾性積層体材料２０から解放されている。弾性積層体２０から解放された接続部１９の部分は、股部領域１９ａと呼ばれる狭い部分を含む。腰部バンド１８は、弾性積層体材料２０から解放されてもよくまたは解放されなくてもよい。腰部バンドは、不織材料などの材料層間に収縮可能に固定された弾性糸などの細長い弾性部材１８ａによって弾性化された不織材料を備えてもよい。超音波溶接、接着剤ストリングなどによって、弾性積層体２０が弾性腰部バンド１８に接合される。
【００６５】
弾性積層体２０は、第１の側縁部８と第２の側縁部９との間の前部５の幅全体にわたって連続的に左右方向に延びるとともに、第１の側縁部１１と第２の側縁部１２との間の後部６の幅全体にわたって連続的に左右方向に延びることが好ましい。弾性積層体２０はまた、弾性積層体２０が存在する接続部１９の部分において脚部開口部１６と脚部開口部１７との間の接続部１９の幅全体にわたって連続的に左右方向に延びる。
【００６６】
弾性積層体２０は、製品の内側布と外側布を形成する繊維材料の内側層２１および外側層２２と、前記繊維層同士の間に位置する弾性膜２３とで構成される。弾性積層体２０はまた、第１および第２の繊維層の一方または両方に貼り合わされた１つまたは複数の追加の繊維層を備えてもよい。そのような追加の繊維層は、弾性積層体２０の一部にのみ存在してもよい。したがって、弾性積層体２０は、その領域全体にわたって同一である必要はなく、それぞれに異なる領域でそれぞれに異なる層を備えてもよい。
【００６７】
弾性積層体２の内側層２１および外側層２２は、製品の内面および外面の一部を形成する。これらの層の材料は、有色であることが好ましく、トップシート２６と同じ色であることが好ましい。
【００６８】
内側繊維層および外側繊維層としては、内側弾性膜層と組み合わされて材料の穿刺に対する抵抗を高めるような繊維層を選択すると有利である。内側繊維層および外側繊維層はまた、柔らかい布状の感触を積層体に付与する。適切な材料の例には、カーデッドウェブおよびスパンボンド材料がある。繊維材料層の坪量は、８〜３５ｇ／ｍ２、好ましくは１０〜２５ｇ／ｍ２、より好ましくは１２〜２５ｇ／ｍ２であるべきである。繊維材料に使用される適切なポリマーの例には、ポリエチレン、ポリエステル、ポリプロピレン、ならびに他のポリオレフィンホモポリマーおよびコポリマーがある。必要な特性を付与する限り、天然繊維、たとえば綿が使用されてもよい。ポリマーの混合物は、不織層の可撓性を高めることに寄与することができ、これによって、不織材料における最大荷重での伸びを大きくする。ポリエチレンポリマーとポリプロピレンポリマーの混合物は、この点で良好な結果をもたらすことが証明されている。異なるポリマーの繊維の混合物も可能である。
【００６９】
弾性積層体の繊維層のうちの少なくとも１つは、クレープ不織材料であってもよい。クレープ不織材料は、積層体の耐穿刺性を高め、積層体がパンツ製品を装着する際と取り外す際に生じる引張り力および伸長力を破れることも裂かれることもなしに受けるのを可能にする。
【００７０】
中央層は、坪量が２０〜８０ｇ／ｃｍ２であり、好ましくは２０〜６０ｇ／ｍ２である開口弾性膜２３であることが好ましい。この膜は、任意の適切な天然弾性ポリマーまたは合成弾性ポリマーであってもよい。弾性膜用の適切な材料のいくつかの例には、低結晶度ポリエチレン、メタロセン触媒の低結晶度ポリエチレン、エチレン酢酸ビニルコポリマー（ＥＶＡ）、ポリウレタン、ポリイソプレン、ブタジエン−スチレンコポリマー、スチレン／イソプレン／スチレン（ＳＩＳ）、スチレン／ブタジエン／スチレン（ＳＢＳ）、またはスチレン／エチレン−ブタジエン／スチレンブロックコポリマーなどのスチレンブロックコポリマーがある。これらのポリマーの混合物も、他の修飾エラストマ材料または非エラストマ材料とともに使用されてもよい。適切な膜の一例にはＰＥ−ＳＥＢＳ−ＰＥの開口３層エラストマ膜がある。
【００７１】
弾性積層体１０は、ＡＳＴＭ  Ｅ９６−００  Ｐｒｏｃｅｄｕｒｅ  Ｄによる通気性（水蒸気透過率）が少なくとも１５００ｇ／ｍ２  ２４ｈであり、好ましくは少なくとも３０００ｇ／ｃｍ２  ２４ｈであることがさらに好ましい。
【００７２】
弾性膜層の開放面積は少なくとも５％であり、より好ましくは少なくとも８％であることが好ましい。開放面積は、画像解析方法によって測定され、穴面積の和を膜サンプルの総面積で割った値と定義される。
【００７３】
以下では、弾性積層体２０を製造するための方法について説明する。本開示によれば、有色内側および／または外側布を有する完成品を実現するために積層体の内側および／または外側繊維層に有色材料が使用される。内側繊維層２１と外側繊維層２２の両方に同じ色が使用されることが好ましい。
【００７４】
弾性積層体を製造する１つの方法は、ＷＯ０３／０４７４８８に記載されており、この場合、一方のスパンボンド層が膜に塗布され、前記膜は粘着状態であり、したがって、スパンボンド層に接着され、一方、他方のスパンボンド層が、たとえば、感圧熱溶融接着剤を使用して膜層に付着させられ貼り合わされる。代替として、積層体は、この既知の方法の修正バージョンに従って製造され、この修正は、積層体が、少なくとも１つの非弾性不織層のピーク荷重時の伸びに至らない点まで（噛み合い歯車ＩＭＧによって）増分的に伸長され、少なくとも１つの不織層に対してある強度が保持されることを含む。他方の層は、ピーク荷重時の伸びに至らない点、または伸長時に引き裂かれる点まで伸長されてもよい。
【００７５】
ＷＯ０３／０４７４８８において開示された方法は、繊維材料の破断点を超えるまで積層体を伸長させ、それによって非弾性層が完全に破断することを含む。したがって、ＷＯ０３／０４７４８８に記載されたように、積層体の伸びは、非弾性材料の伸び弾性係数によって制限されない。
【００７６】
修正された方法によれば、弾性膜に結合された少なくとも一方、好ましくは両方の繊維層は、ＷＯ０３／０４７４８８に記載された方法とは異なり、積層体の製造時に完全に引き裂かれることはない。最大荷重における伸びが弾性積層体の弾性よりも大きい繊維材料を選択すると、繊維層によって阻害されずに弾性膜を伸長させることができる。そのような選択によって、繊維層は、製造時に完全に裂かれることも破断されることもなくなるので積層体の耐穿刺性に寄与することが確実になる。繊維層、または繊維層のうちの少なくとも１つは、最大荷重における伸びが積層体の弾性よりも少なくとも１０％高いことが好ましい。このことはＷＯ２００５／１２２９８５により詳細に記載されている。
【００７７】
代替実施形態では、積層体２０は第１の繊維層を不織ウェブの形でボンディングニップに送り込み、溶融した弾性膜形成ポリマーを、ダイを通してニップに押し出すことによって製造される。第１の繊維層と弾性膜とは第１の積層体を形成する。第２の積層ステップにおいて、第１の積層体の膜側に接着剤を被覆または噴霧し、その後積層体を第２の繊維層とともに第２のボンディングニップを通過させ、積層体２０を形成する。その後、積層体を噛み合い歯車ＩＭＧを通過させることによって増分的に伸長させることによって積層体を活性化する。
【００７８】
さらなる実施形態では、繊維材料の内側層２１および弾性膜層２３は、増分的に伸長し、繊維材料の内側層を部分的に引き裂くことによって弾性化された第１の弾性積層体の一部を形成し、第１の弾性積層体は、伸長状態の間に繊維材料の外側層２２に結合されている。次いで、得られた積層体は弾性的に伸長可能である。
【００７９】
さらなる実施形態では、繊維材料の内側層２１および外側層２２は、伸長状態の間に弾性膜層２３に結合され、いわゆる伸長結合されている。得られた積層体は、弾性的に伸長可能である。
【００８０】
弾性積層体材料２０は、筐体４の前部５、後部６、および接続部１９の少なくとも一部を覆うように外側カバーシート材料ならびに内側カバーシート材料として配置されることが好ましい。弾性積層体材料は、図２および図７による平坦状態で見るとわかるように、製品の総表面積の少なくとも２０％、好ましくは少なくとも２５％、より好ましくは少なくとも３０％、最も好ましくは少なくとも４０％における筐体４の唯一の構成要素を構成してもよい。
【００８１】
弾性積層体材料２０を使用する際に前部５と後部６とを接合する追加の弾性化された側部パネルは必要とされない。
【００８２】
弾性積層体２０とバックシート２５はコア領域３の外側部分で重なり合い、弾性積層体２０は、バックシート２５の衣服に面する側に配置される。
【００８３】
不透液性バックシート材料２５、透液性トップシート材料２６、および不透液性バックシート材料２５と透液性トップシート材料２６の間に密封された吸収性コア２のすべてについて上で説明したが、これらの構成要素を有する吸収性アセンブリは、選択的に伸長した状態に保持されている間に、前部５、後部６、および／または接続部１９の弾性積層体２０に接合されてもよく、それによって、吸収性アセンブリの、前部５、後部６、および／または接続部１９に接合された点にはギャザーが存在する。
【００８４】
上述のように、弾性積層体２０は、製品の接続部１９の実質的な部分には存在しなくてもよい。吸収性アセンブリの衣服側における吸収性アセンブリの少なくとも一部の下に股部パネル材料２４が位置してもよい。股部パネル材料２４は、非弾性ウェブ材料で形成されてもよい。ただし、弾性材料が使用されてもよい。股部パネル材料２４として弾性材料が使用される場合、弾性材料は弾性積層体２０よりも低い弾性率を有するべきである。好適には、股部パネル材料は不織材料である。股部パネル材料２４は、継目３３および３４に沿って弾性積層体２０に接合される。
【００８５】
弾性積層体２０は、非弾性の股部パネル材料２４に接合されたときに伸長状態に保持され伸長力が解放されたときに股部パネル材料にギャザーが形成されることが好ましい。
【００８６】
図６に示す代替実施形態では、継目に沿って弾性積層体２０に接合される別個の股部パネル材料２４はなく、弾性積層体２０は、内側および外側不織層３６および３８の一部のみに貼り合わされた弾性膜３７によって画定され、弾性膜３７の横縁部３７ａは、弾性積層体と非弾性の股部パネル材料との間に境界を形成する。このことについて以下にさらに詳しく説明する。
【００８７】
弾性糸などの細長い脚部弾性部材は、接続部１９における脚部開口部１６および１７の一部に沿って延びる。図２に開示する実施形態では、脚部開口部弾性部材が、股部領域１９ａのそれぞれの長手方向縁部に沿って延びる第１の弾性部材２７および２８と、股部領域１９ａの領域の外側において脚部開口部１６および１７の一部の縁部に沿って延びる第２の弾性部材２９および３０とに分割される。股部領域１９ａの外側に位置し、前部５に対向する接続部１９の領域は、接続部１９の前部１９ｂとして画定され、股部領域１９ａの外側に位置し、後部６に対向する接続部１９の領域は、接続部１９の後部１９ｃとして画定される。
【００８８】
第１の弾性部材２７および２８は、股部領域１９ａと呼ばれる接続部１９の狭い部分に沿って延び、股部において人体の流体の漏れを防止する密封効果をもたらす。
【００８９】
図７に開示する実施形態では、脚部弾性部材３９、４０は、股部領域１９ａを含む脚部開口部１６の一部に沿って連続的に延びる。
【００９０】
図１〜図７に示す実施形態では、弾性積層体材料２０は、概ね前部５全体、後部６全体、および接続部１９の一部、すなわち、脚部開口部領域の一部を覆う。図２に開示する実施形態では、弾性積層体材料２０は、接続部１９の前部１９ｂ全体を覆うが、接続部１９の後部１９ｃについては一部のみを覆う。弾性積層体２０によって覆われた接続部１９における脚部開口部領域の部分は、同じく追加の脚部弾性体がない場合に弾性をもたらす。
【００９１】
図２に示す実施形態では、第２の弾性部材２９および３０は、接続部１９における点１６ａ、１７ａに隣接する領域から延び、点１６ａ、１７ａに第１の弾性部材２７および２８の末端が位置し、点１６ａ、１７ａの所で製品の幅が急激に大きくなる。第２の弾性部材２９および３０は、後部６に面する接続部１９の後部１９ｃにのみ配置され、接続部１９の前部１９ｂには第２の弾性部材２９および３０は配置されない。
【００９２】
第２の弾性部材２９および３０は、側部継目１３および１４まで完全には延びず、それぞれの側部継目１３および１４から離れた脚部開口部１６および１７に末端が位置し、したがって、それぞれの脚部開口部１６および１７に沿って少なくとも５０ｍｍ、好ましくは少なくとも７５ｍｍ、より好ましくは少なくとも１００ｍｍの周方向長さｐに対応する領域３１および３２が残り、これらの領域には脚部弾性部材２９および３０は存在しない。周方向長さｐは、それぞれの脚部開口部１６および１７の周囲に沿って測定され、それぞれの側部継目１３および１４の内側縁部まで測定される。脚部弾性体に複数の細長い弾性部材があるとき（通常そうである）、周方向長さ（ｐ）は、前記長さが最も短い弾性部材から測定される。長さｐは、図２に示すように製品の平坦な非収縮状態において測定される。製品の前記平坦な非収縮状態は、弾性積層体に非弾性材料構成要素を取り付ける製造プロセス時に弾性積層体が有する伸長度に相当する。
【００９３】
脚部弾性部材２９および３０が存在しない、脚部開口部１６および１７に隣接する領域内の接続部１９は、周方向長さｐの少なくとも８０％、好ましくは少なくとも８５％、より好ましくは少なくとも９０％に沿って弾性積層体材料２０から構成される。
【００９４】
上述のように、股部パネル材料２４は、接続部１９の股部領域１９ａ内に配置され、接続部１９の弾性積層体２０に接合される。股部パネル材料２４は非弾性であることが好ましい。脚部弾性部材２７〜３０は、股部パネル材料２４によって画定される接続部１９において脚部開口部１６および１７の少なくとも一部に沿って延びる。脚部弾性部材２７〜３０は、前記股部パネル材料２４内に位置する脚部開口部１６および１７の一部の少なくとも９０％に沿って延びることが好ましく、前記長さは、それぞれの脚部開口部の周囲に沿って測定される。
【００９５】
脚部弾性部材２７〜３０は、弾性積層体２０によって画定される脚部開口部１６および１７の一部内にある距離だけ延びてもよいか、または弾性積層体２０を股部パネル材料２４に接合する継目３４の所など、弾性積層体２０と非弾性の股部パネル材料２４との間の境界に端部を有してもよい。脚部弾性部材２７〜３０は、２０ｍｍ以下であり、より好ましくは１５ｍｍ以下だけ弾性積層体２０と重なり合うことが好ましい。
【００９６】
好ましくは不織材料であるカバーストリップ３５が、脚部弾性部材２９および３０を覆う製品の装着者に面する側に貼り合わされてもよい。カバーストリップ３５は、製品の幅全体を延びることが好ましい。カバーストリップ３５は、弾性積層体２０の一部を形成し、それによって、カバーストリップ３５が貼り合わされる弾性積層体２０の部分は、弾性特性の少なくとも実質的な部分を維持する。
【００９７】
脚部弾性体２９および３０は、脚部弾性体２９および３０が取り付けられたウェブ材料を引き込み、しわを生じさせ、このしわは衣服を通じて見えることがある。側部継目１３および１４までは延びない脚部弾性体２９および３０を有する構成によって、脚部開口部がより平滑になり、しわが少なくなり、より失禁用であることが目立たない製品になる。脚部弾性体が存在しない脚部開口部の少なくとも大部分は、弾性ウェブ材料２０で構成されるので、脚部弾性体が存在しない領域にもある程度の密封効果がもたらされる。
【００９８】
図６に示す代替実施形態では、別個の股部パネル材料２４は存在しない。その代わりに、ベース層不織材料３６が前部５、後部６、および股部１９の上方を延び、前部５、後部６、および股部１９の外側カバーシート材料を形成する。前部５および後部６においてベース層不織材料３６に弾性膜３７が貼り合わされる。弾性膜３７の反対側にカバー層不織材料３８が貼り合わされ、製品の内側カバーシートを形成する。ベース層不織材料３６、弾性膜３７、およびカバー層不織材料３８は、上述のような弾性積層体２０を形成する。ベース層不織材料３６およびカバー層不織材料３８は、基本的に非弾性材料であることが好ましく、製品は、弾性膜３７が存在する部分のみが弾性を有する。ベース層不織材料３６とカバー層不織材料３８は、この実施形態では股部パネル材料を形成する。
【００９９】
弾性膜３７は、第１の側縁部８と第２の側縁部９との間の前部５の幅全体を横切り、第１の側縁部１１と第２の側縁部１２との間の後部６の幅全体を横切り、脚部開口部１６と脚部開口部１７との間の接続部１９の一部を横切って延びることが好ましい。弾性膜３７は、接続部１９の股部領域１９ａに面する弾性膜３７の端部の所に横縁部３７ａを有する。
【０１００】
細長い脚部弾性部材２９および３０は、上述の実施形態に関して開示したのと対応するように、少なくとも弾性膜３７が存在しない領域においてそれぞれの脚部開口部１６および１７の一部に沿ってベース層不織材料３６とカバー層不織材料３８との間に取り付けられる。脚部弾性部材２９および３０は、弾性膜３７が存在しない前記領域に位置する脚部開口部１６および１７の一部の少なくとも１つの８０％、好ましくは少なくとも８５％、より好ましくは少なくとも９０％に沿って延びることが好ましく、前記長さは、それぞれの脚部開口部に沿った周囲長さｐとして測定される。脚部弾性部材２９および３０は、弾性膜３７と２０ｍｍ以下、好ましくは１５ｍｍ以下だけ重なり合うことが好ましい。
【０１０１】
図７に開示する実施形態では、脚部開口部１６および１７は、図２に開示する実施形態とは異なる曲率を有し、脚部弾性部材３９および４０は、接続部１９の股部１９ｂを含む脚部開口部１６および１７の一部に沿って連続的に延びる。言い換えれば、この実施形態は上述の実施形態と同様である。
【０１０２】
本開示による吸収性製品の実施形態の第２のセットについて図８〜図１３を参照しながら説明し、特に縫い合せ型パンツ製品について説明する。図１４ａおよび図１４ｂは、そのような製品の内側および外側を概略的に示す。
【０１０３】
図面のうちの図８ａを参照すると、組み立てられ使用準備の整った状態を示す使い捨てパンツ型吸収性製品１０１の実施形態が示されている。同じ吸収性製品１０１も図９に示されているが、主要な構成要素を示すために、平らに広げられ上から見たときの状態で示されている。さらに、図８ｂは、以下により詳しく説明する吸収性製品１０１の一部の拡大断面の斜視図である。
【０１０４】
図８および図９に示す製品１０１は、特定の男性モデルまたは女性モデルについて説明するものではなく、男性ユーザまたは女性ユーザのいずれかに好適である場合がある製品の一般的な原則について説明するために使用される。しかし、図１３ａおよび図１３ｂについては以下に詳しく説明するが、これらの図は、男性用製品と女性用製品との違いを示す。
【０１０５】
図８ａおよび図９を参照するとわかるように、パンツ型吸収性製品１０１はたとえば、乳児、小児、もしくは成人の男性または女性ユーザによって使用されるようになっている、たとえば、パンツ型おむつ、生理用パンツ、または失禁パンツの形をしている。図８によるパンツ型吸収性製品１０１は、前部１０３と、後部１０４と、前部１０３と後部１０４とを連結する股部１０５と、製品の長手方向における中心線１０６（図９参照）を有するシングルピース筐体１０２を備える。吸収性製品１０１は、長手方向と、横方向と、厚さ方向とを有する。
【０１０６】
前部１０３は、腰部縁部１０７と、一対の脚部縁部１０９、１１０と、一対の側縁部１１１、１１２とを有する。さらに、後部１０４は、腰部縁部１０８と、一対の脚部縁部１１３、１１４と、一対の側縁部１１５、１１６とを有する。
【０１０７】
上述のように、吸収性製品１０１は、股部１０５を有し、股部１０５は、主に前記股部１１５に位置する吸収性本体１１７を備える。吸収性本体１１７は、筐体１０２とは別個に製造され、適切な製造ステップにおいて筐体１０２に挿入され締結されてもよい。このプロセスについて以下により詳細に説明する。
【０１０８】
前部１０３の側縁部１１１、１１２は、側部継目、フックアンドループファスナ、接着ファスナなどの永久的なまたは再密閉可能な側部接続部１１８、１１９によって後部１０４の両側縁部１１５、１１６に取り付けられ、腰部開口部１２０および一対の脚部開口部１２１、１２２を少なくとも部分的に画定する。
【０１０９】
弾性腰部構成要素１２３の形をした第１の弾性要素が、前部１０３および後部１０４の一部を形成する腰部縁部１０７、１０８に少なくとも部分的に沿って筐体１０２に締結される。弾性腰部構成要素１２３の目的は、製品を装着するユーザの腰部の周りにうまく装着される吸収性製品１０１を提供することである。弾性腰部構成要素１２３は、腰部開口部１２０の周りにおいて腰部縁部１０７、１０８の比較的近くに締結される。
【０１１０】
さらに、弾性脚部構成要素１２４の形をした第２の弾性要素が、製品を装着するユーザの脚部の周りにうまく装着される吸収性製品１０１を提供することを目的として、前部１０２の脚部縁部１０９、１１０に少なくとも部分的に沿って筐体１０２に締結される。弾性脚部構成要素１２４は、脚部縁部１０９、１１０の比較的近くに締結される。
【０１１１】
特に図９に示すように、弾性脚部構成要素１２４は、前部１０３において直線を形成し、後部１０４において湾曲構成を有する。
【０１１２】
さらに、第１の吸収性本体弾性体１２５はおよび第２の吸収性本体弾性体１２６は、股部１０５に沿って配置される。第１の吸収性本体弾性体１２５は、第１の股部縁部１２８に沿って配置され、一方、第２の吸収性本体弾性体１２６は、第２の股部縁部１２９に沿って配置される。具体的には、第１の吸収性本体弾性体１２５および第２の吸収性本体弾性体１２６は長手方向股部縁部１２８、１２９の比較的近くに配置される。同様に、弾性腰部構成要素１２３および弾性脚部構成要素１２４も、図８および図９に示すように、それぞれ腰部縁部１０７、１０８および脚部縁部１０９、１１０の比較的近くに配置される。
【０１１３】
弾性脚部構成要素１２４および弾性腰部構成要素１２３がそれぞれ、腰部縁部１０７、１０８および脚部縁部１０９、１１０に近い位置に締結された場合、脚部縁部および腰部縁部の所で利用可能な非弾性化ウェブ材料が少なくなり、それによって、前記縁に沿って形成されるフリルが少なくなる。このことは有利である。その理由は、脚部縁部の所に大量の材料があると、ユーザが不快感を受けることがあり、ユーザに、製品が従来の下着と同様なものではないという印象を与えることがあるからである。
【０１１４】
弾性脚部要素１２４が脚部縁部１０９、１１０のより近くに位置する場合、吸収性製品１０１は、ユーザの脚部の形状に対応する改善された装着感をもたらす。したがって、フリルのより少ないよりカフ状の外観を有する前部１０３および後部１０４の弾性化された脚部縁部１０９、１１０を設け、それによって吸収性製品に下着により近い外観を与えることが望ましい。
【０１１５】
さらに、図８ａおよび図９に示すように、吸収性製品１０１は、製品１０１の周りに互いにある距離を置いて概ね平行に取り付けられたいくつかの弾性糸にともに基づく前部弾性構成要素１３０と後部弾性構成要素１３１、すなわち、ユーザの腹部領域と裏側を備える。これらの弾性構成要素１３０、１３１の目的は、製品１０１の装着者に良好な装着感および快適さをもたらすことである。具体的には、弾性糸の構成は、男性の人体構造および女性の人体構造ならびに製品の男性ユーザおよび女性ユーザに適切な装着感および快適さの要件に適合することができる。
【０１１６】
弾性糸の位置決めおよび弾性糸の弾性特性は、それぞれ男性の人体構造および女性の人体構造に個々に適合するように配置された後部弾性構成要素１３１および前部弾性構成要素１３０の構成をもたらすように個々に適合することができる。このことについて、以下に図１３ａおよび図１３ｂを参照しながらより詳細に説明する。より正確には、弾性糸の位置決めは、幾何学的な意味で、アレイ内の各吸収性製品に沿って糸を配置する方法を指し、任意の２本の隣接する弾性糸間の距離も指す。さらなる実施形態によれば、使用される弾性糸の数は、それぞれ男性の人体構造および女性の人体構造に個々に適合するように配置された後部弾性構成要素１３１および前部弾性構成要素１３０の構成をもたらすように選択することができる。
【０１１７】
さらに、上述のように、弾性腰部構成要素１２３および弾性脚部構成要素１２４をウェブ材料の縁部の近く、すなわち、この場合はそれぞれ腰部縁部１０７、１０８および脚部縁部１０９、１１０の近くに締結するプロセスは、製造ラインの製造耐性に起因して困難であることに留意されたい。弾性要素を製品の縁部に沿って、すなわち、腰部縁部、脚部縁部、および股部縁部に沿って設けると、失禁用品などの現代的で体にぴったりする吸収性製品がもたらされる。そのような弾性要素は通常、腰部縁部、脚部縁部、および２つの股部縁部に沿って配置されたいくつかの弾性糸を備える。
【０１１８】
パンツ型吸収性製品用の製造プロセスは、高速に動作し、そのような完全に自動化された製造ラインはある種の公差を有する必要がある。弾性構成要素の弾性糸を対応する縁部の過度に近くに位置決めした場合、糸が実際には縁部の外側に配置され位置決めされる場合がある。糸には通常、接着剤が塗布されるので、弾性糸が誤って製品の実際の縁部の外側に位置決めされた場合、製造が中断される恐れがある。
【０１１９】
さらに図９を参照し、かつ図８ｂを参照するとわかるように、弾性腰部構成要素１２３、弾性脚部構成要素１２４、および弾性吸収性本体構成要素１２５、１２６が当該の製品１０１の折り畳み構成によって締結される実施形態が提供される。この折り畳み構成の原則が図８ｂに示されている。図８ｂは、後部１０４の上部の小さい部分、より正確には、吸収性製品１０１における後部１０４の腰部縁部１０８の近くの部分の拡大図を示す。
【０１２０】
従来通り、吸収性製品１０１は、透液性トップシート１３２、すなわち、製品１０１のユーザに対向するようになっているシートと、不透液性バックシート１３３、すなわち、ユーザが装着する衣服に対向するように配置されたシートとを備える。一般に、透液性トップシート材料１３２は、不織材料を備えるかまたは不織材料からなる。トップシート材料は、さらにトウ繊維、多孔性フォーム、開口プラスチック膜、および同様の材料から構成されてもよい。トップシート材料として適した材料は、柔らかく皮膚を刺激しないことが必要であり、体液、たとえば尿または月経液が容易に透過し、低再湿潤特性を示す必要がある。
【０１２１】
トップシート１３２には、好ましくは、製品の外側の色を定める製品の少なくとも繊維層と同じ色または実質的に同じ色を有する、有色不織材料が使用されることが好ましい。吸収ゾーン、すなわち、コアが位置するゾーンは、コアの結果としてより明るい色であることが好ましく、コアは全体的に比較的明るい色であり、トップシート１３２の不織材料を通して光って見えてもよい。
【０１２２】
バックシート１３３にも有色材料が使用され、好ましくはトップシート１３３と同じ色であることが好ましい。
【０１２３】
さらに、不透液性バックシート１３３は、薄いプラスチック膜、たとえばポリエチレンまたはポリプロピレン膜、不透液性材料で覆われた不織材料、液体浸透に抵抗する疎水性不織材料、またはプラスチック膜および不織材料の積層体からなってもよい。バックシート材料は、蒸気が吸収性製品から逃げるのを可能にするように通気性を有し、しかも液体がバックシート１３３材料を通過するのを妨げてもよい。
【０１２４】
様々な実施形態によれば、バックシート１３３を製造するのに使用できる材料には、薄く可撓性を有する不透液性プラスチック膜、または不透液性不織材料、不透液性フォーム、および不透液性積層体が含まれる。
【０１２５】
さらに、バックシート１３３は、単一の層によって形成され、代替として、多層構造、すなわち積層体によって形成することができ、その場合、少なくとも１つの層が不透液性を有する。さらに、バックシート１３３は場合によっては、いずれかの方向に弾性を有することができる。さらなる実施形態によれば、バックシート１３３は通気性を有してもよく、空気および蒸気がバックシートを通過してもよいことを意味している。さらに、バックシート１３３は場合によっては、不織材料などの布材料の、衣服に対向する外面を有してもよい。
【０１２６】
吸収性コア１１７は、セルロースフラッフパルプの繊維からなる単一の層によって形成することができる。代替実施形態によれば、吸収性コア１１７は、当技術分野で知られているような任意の適切な吸収性材料または流体吸収材料、たとえば、フォーム、繊維ワッディング、および同様の材料で構成することができる。
【０１２７】
さらに、吸収性コア１１７は、セルロースフラッフパルプと適切な量の超吸収性粒子の混合物からなってもよい。そのような超吸収性材料は、吸収性製品の分野ではよく知られており、ヒドロゲルが形成されたときに大量の流体を吸収することができる水膨潤性および水不溶性を有する材料によって構成される。通常の超吸収材料は、それ自体の重量の少なくとも１０倍の流体を吸収することができる。
【０１２８】
さらなる実施形態によれば、吸収性コア１１７は、吸収性コアの特性を改良するための成分をさらに組み込んでもよい。そのような成分のいくつかの例には、当技術分野で知られているようなバインダー繊維、流体分散材料、流体取得材料などがある。吸収性コア１１７はまた、均質構造であってもよいか、または同じもしくは異なる材料の積層体を含む層状構造であってもよい。吸収性層は、一様な厚さを有してもよいか、または層のそれぞれに異なる部分において異なる厚さを有してもよい。
【０１２９】
コアの少なくとも頂部側を形成する布の層は、好ましくはより明るい色であり、好ましくはトップシート１３２よりも明るい色であり、たとえば、Ｌ＊値が９０を超え、たとえば、白色または実質的に白色である。
【０１３０】
トップシート１３２とバックシート１３３とは、たとえば、接着結合、粘着、熱または超音波による溶接によって互いに接続されてもよい。トップシート１３２および／またはバックシート１３３はさらに、接着剤、熱結合などの当技術分野で知られている任意の方法によって吸収性本体に取り付けられてもよい。
【０１３１】
一実施形態によれば、前部１０３および後部１０４を形成する部分におけるトップシートおよびバックシートは、本明細書では内側布および外側布とも呼ばれ、股部１０５におけるトップシートおよびバックシートとは異なる種類であってもよい。後者の場合、（上述のように）透液性トップシートおよび不透液性バックシートが適切である。その理由は、吸収性製品１０１は、股部１０５には吸収特性を有さなければならないからである。しかし、前部１０３および後部１０４を形成する部分では、トップシートとバックシートはどちらもたとえば不透液性を有してもよい。その理由は、吸収性製品１０１のこれらの部分は一般に、吸収特性を有する必要がないからである。前部１０３および後部１０４におけるこのトップシートおよびバックシートに使用される布または材料は好ましくは有色であり、好ましくは股部におけるトップシート１３２と同じ色である。
【０１３２】
図８ｂに示す実施形態によれば、バックシート１３３は、後部１０４の腰部縁部１０８に沿って折り畳むことができ、かつトップシート１３２の上に折り畳むことができるように構成される。このようにして、弾性腰部構成要素１２３は、トップシート１３２とバックシート１３３との間に少なくとも部分的に囲まれる。より正確には、弾性腰部構成要素１２３は、バックシート１３３とトップシート１３２との間に位置決めされ、バックシート１３３は次いでトップシート１３２の上に折り畳まれる。このようにして、バックシート１３３の縁部１３４は、吸収性製品１０１の内側に沿って画定され、すなわち、製品のユーザに対向する。
【０１３３】
図８ｂに示す実施形態は、弾性腰部構成要素１２３がトップシート１３２および折り畳まれたバックシート１３３によって完全に囲まれるように構成される。しかし、（以下に図１１ｅを参照しながら説明する）他の実施形態によれば、バックシート１３３および弾性腰部構成要素１２３は、バックシート１３３が弾性腰部構成要素１２３の一部のみを囲むように折り畳まれるように寸法が定められかつ構成されてもよい。
【０１３４】
前部１０３に関しても同様の折り畳みプロセスが実施され、それによって、バックシート１３３が吸収性製品１０１の内側に沿って縁部１３５（図８ａ参照）を画定する折り目を形成する。さらに、股部１０５に関しても同様の折り畳みプロセスが実施され、それによって、股部１０５における吸収性本体１１７に沿って第１の縁部１３６および第２の縁部１３７（図８ａ参照）を有する折り目が形成される。さらに、脚部縁部１０９、１１０に沿って弾性脚部構成要素１２４を囲むように同様の折り畳みプロセスも実施される。
【０１３５】
上述の折り畳み手順の目的は、弾性要素、すなわち、弾性腰部構成要素１２３、弾性脚部構成要素１２４、および弾性吸収性本体構成要素１２５、１２６を吸収性製品１０１の対応する縁部の非常に近くに位置決めするのを可能にすることである。このことは、吸収性製品１０１を、最適化された腰部弾性機能を有し好都合に装着できる通常の下着に類似するように製造できることを意味する。弾性要素を製品の各縁部の非常に近くに位置決めすることによって、場合によっては縁部に沿って生じることがある非弾性化ウェブ材料の量を無くすことができる。要するに、吸収性製品１０１は、見た目および感触が下着により類似したものになり、しかも尿漏れを十分に防止する。さらに、男／女固有の吸収性製品のアレイでは、弾性腰部構成要素、弾性脚部構成要素、および弾性吸収性本体構成要素をそれぞれ男性ユーザおよび女性ユーザが着用することが意図された製品において適切に適合することができる。
【０１３６】
したがって、バックシート１３３またはトップシート１３２は、腰部縁部１０７、１０８、脚部縁部１０９、１１０、および股部縁部１２８、１２９に沿って折り畳まれ、それによって各々の対応する弾性要素１２３、１２４、１２５、１２６を囲む。いくつかの代替実施形態について以下にさらに説明する。
【０１３７】
少なくとも前部弾性構成要素１３０および後部弾性構成要素１３１を形成する弾性糸の、位置および弾性特性を、男性および女性の人体構造ならびに男性および女性用吸収性製品に関する他の要件に適合された製品を提供するように変更することができる。パンツ型吸収性製品１０１用の製造ラインの例示的な実施形態が図１０に概略的に示されている。
【０１３８】
ウェブ材料の第１の連続的なシート１３８が供給され、縦方向に分割され、第１のウェブ部分１３８ａおよび第２のウェブ部分１３８ｂを形成する。第１のウェブ部分１３８ａは、吸収性製品１０１の前部１０３（図８および図９参照）用のバックシートの基部を形成し、一方、第２のウェブ部分１３８ｂは、後部１０４用のバックシートの基部を形成する。
【０１３９】
引張り状態の第１および第２のウェブ部分１３８ａ、１３８ｂに弾性材料の複数のストリップが取り付けられる。より正確には、弾性材料の第１のストリップ１３９および第２のストリップ１４０が弾性腰部構成要素１２３の基部を形成し、弾性材料の第３のストリップ１４１および第４のストリップ１４２が弾性脚部構成要素１２４の基部を形成する。さらに、弾性材料の第５のストリップ１４３および第６のストリップ１４４がそれぞれ、前部弾性構成要素１３０および後部弾性構成要素１３１の基部を形成する。
【０１４０】
弾性材料のストリップ１３９、１４０、１４１、１４２、１４３、１４４は、ウェブ材料の連続シート１３８ａ、１３８ｂに接着されるかまたは他の方法で締結され、前記ストリップは、図８および図９を参照しながら上記で説明したように吸収性製品１０１の弾性ウェブ要素を形成するようになっている。
【０１４１】
次に、ウェブ材料のさらなる連続シート１４５が設けられ、長手方向に分割されて、第３のウェブ部分１４５ａおよび第４のウェブ部分１４５ｂを形成する。第３のウェブ部分１４５ａは、前部１０３用のトップシートの基部を形成し、一方、第４のウェブ部分１４５ｂは、後部１０４用のトップシートの基部を形成する。
【０１４２】
第３のウェブ部分１４５ａおよび第４のウェブ部分１４５ｂはそれぞれ、第１のウェブ部分１３８ａおよび第２のウェブ部分１３８ｂに接合され、第１のウェブ部分１３８ａと第３のウェブ部分１４５ａとの間に挟まれ、さらに第２のウェブ部分１３８ｂと第４のウェブ部分１４５ｂとの間に挟まれた弾性材料のストリップ１３９、１４０、１４１、１４２、１４３、１４４を有する積層製品を形成する。第２のシートは超音波結合、溶接、接着剤、エンボス加工、機械的締結などによって互いに取り付けられてもよい。上述のウェブ部分および弾性ストリップの取付けについては、ここでは、連続するステップにおいて実施されるものとして説明するが、これらのステップは一般に単一のステップで実施される。
【０１４３】
吸収性コア１１７を有する股部１０５（図８ａ参照）を形成するために、ウェブ材料の第３の連続シート１４６が設けられ股部１０５用のバックシートの基部を形成する。吸収性コア１１７は次いで、第３の連続シート１４６上に重ねられる。さらに、弾性材料の第７のストリップ１４７および第８のストリップ１４８もウェブ材料の第３のシート１４６上に重ねられる。弾性材料の第７のストリップ１４７は、第１の吸収性本体弾性体１２５（図８ａおよび図９参照）の基部を形成し、一方、弾性材料の第８のストリップは第２の吸収性本体弾性体１２６の基部を形成する。
【０１４４】
次に、ウェブ材料の第４の連続シート１４９が設けられ、第１のウェブ部分１３８ａ、第２のウェブ部分１３８ｂ、第３のウェブ部分１４５ａ、および第４のウェブ部分１４５ｂを参照しながら上記で説明した方法と同様に適切に第３の連続シート１４６に接合される。このプロセスの間、弾性材料の第７のストリップ１４７および第８のストリップ１４８、ならびに吸収性コア１１７が、ウェブ材料の前記第３の連続シート１４６とウェブ材料の前記第４の連続シート１４９との間に挟まれる。
【０１４５】
製造プロセスをそれぞれ男性用製品および女性用製品に適合するには、製品に含めるべき適切な弾性材料（すなわち、弾性材料のストリップ１３９、１４０、１４１、１４２、１４３、１４４用の適切な弾性材料）を選択することによって、プロセスを修正することができる。寸法、ブランド、弾性特性、およびその他のパラメータに応じた弾性材料のそのような選択は、製造プロセスにおいて一般に中断または時間のかかる修正なしに効率的に実施しなければならない。
【０１４６】
次に、折り畳み手順が実施され、それによって股部１０５の縁部を折り畳み、股部１０５上に縁部１３６、１３７を形成する。この折り畳み工程は、図１０では矢印１５０および１５１によって簡略的に示されている。同様に、前部１０３および後部１０４の折り畳みは、図１０では矢印１５３、１５４によって簡略的に示されている。この折り畳み工程は図８ｂに示されている工程に対応する。
【０１４７】
さらに製造ステップでは、ウェブ材料の第３のシート１４６、ウェブ材料１４９の第４のシート１４９、および吸収性コア１１７によって形成されたウェブが個々の部分１５２に分割され、各部分が上述の股部１０５を形成し、股部１０５はその後、第１および第２のウェブ部分１３８ａおよび１３８ｂならびに第３および第４のウェブ部分１４５ａおよび１４５ｂによって形成されたウェブに取り付けられる。なお、股部１０５は、前部１０３と後部１０４とを跨ぎ、完成した吸収性製品の基部を形成するように所定の距離に配置される。図１０に示すように、股部１０５を形成する部分１５２は、前部および後部を形成するウェブに対して横方向に配置される。
【０１４８】
股部１０５は、超音波結合、溶接、接着剤、エンボス加工、機械的締結などの任意の既知の締結技法を使用して筐体に取り付けられてもよい。このようにして、当該の製品１０１について完全な筐体が形成される。
【０１４９】
その後の製造ステップでは、完成した吸収性製品の筐体を形成する積層ウェブ材料から脚部開口部１５５が切り出される。この切出しは、２つの対向するローラーを使用するローリング切断など、任意の種類の適切な切断機器（図１０には示されていない）によって実施されてもよい。
【０１５０】
次に、第１および第４のウェブ部分１３８ａ、１４５ｂが折り畳まれて最終製品を形成し、それによって第１のウェブ部分１３８ａが筐体のバックシートになり、第４のウェブ部分１４５ｂが筐体のトップシートになる。この折り畳みは、図１０では矢印１５６によって示されている。たとえば、側部継目の溶接の後、製品の連続アセンブリが、切断機器（図１０には示されていない）によって個々の吸収性製品に切り分けられる。
【０１５１】
図１１ａ〜図１１ｆは、後部１０４を形成する構造の代替実施形態の断面図を示す。図１１ａは、弾性要素１２３がバックシート１３３の内側とトップシート１３２の内側との間に挟まれる実施形態を示す。上述の後部弾性構成要素１３１も図１１ａに示されている。さらに、バックシート１３３は前記トップシート１３２の外側に折り畳まれ、それによって弾性要素１２３を囲み、縁部１３４を画定する。この手順は、図８ｂおよび図３に示す実施形態に対応する。
【０１５２】
さらに、図１１ｂは、弾性要素１２３が、バックシート１３３によって画定された折り目内に囲まれ覆われる代替実施形態を示す。その後、トップシート１３２が前記バックシート１３３に接着によって適切に取り付けられる。
【０１５３】
図１１ｃは、弾性要素１２３がバックシート１３３の内側とトップシート１３２の内側との間に挟まれ、次いでトップシート１３２が前記バックシート１３３の外側に折り畳まれて弾性要素１２３を囲むさらなる実施形態を示す。
【０１５４】
図１１ｄは、図１１ａに示す実施形態に概ね対応するが、弾性的に伸長可能な膜から製造された比較的薄いストリップの形をした後部弾性構成要素１３１ａを有するさらなる実施形態を示す。一例として、そのような伸長可能な膜に適切な熱可塑性エラストマを使用することができる。
【０１５５】
さらに、図１１ｅは、図１１ａに示す実施形態に概ね対応するが、バックシート１３３が弾性要素１２３を部分的に囲むように折り畳まれる構成を示すさらなる代替実施形態を示す。したがって、この実施形態は、バックシート１３３および弾性要素１２３が図１１ａに示す実施形態における寸法および構成以外の寸法および構成を有し、それによって、縁部１３４が図１１ａの実施形態と比較して腰部縁部１０８（図８ｂも参照されたい）により近くなるように構成される。弾性要素１２３はバックシート１３３の折り畳まれた部分によって部分的に囲まれているに過ぎないが、製品を通常の下着と同様に設計し、しかも失禁に対する適切な保護を可能にし、かつ十分な快適さおよび装着感を実現することができる。
【０１５６】
図１１ｄおよび図１１ｅに示す実施形態の変形実施形態であるが、トップシートおよびバックシートがそれぞれ図１１ｂおよび図１１ｃと同様に折り畳まれる実施形態も考えられる。
【０１５７】
図１１ｆは、弾性要素１２３が、バックシート１３３によって画定される折り目１３３ａの内側からある距離ｄの所に位置決めされた実施形態を示す。各実施形態によれば、通常の下着に類似しており、しかも尿漏れに対する十分な保護を可能にする吸収性製品１０１を提供するために、折り目１３３ａの内側からの距離ｄは１０ｍｍ未満であり、好ましくは５ｍｍ未満であり、最も好ましくは３ｍｍ未満である。
【０１５８】
さらに、図１２は、断面１０５を含み、特に第２の吸収性本体弾性体１２６（図８ａおよび図９も参照されたい）を示す実施形態の断面図を示す。この実施形態によれば、トップシート１３２およびバックシート１３３によって画定される積層体の上に折り畳まれたさらなるウェブ材料１５８を備える股部。このようにして、第２の吸収性本体弾性体１２６が囲まれる。さらなる実施形態によれば、股部１０５は、接着剤１５９または別の適切な締結手段によってトップシート１３２に取り付けられたさらなるウェブ材料１５８の一部によって囲まれた弾性要素１５７を備えるいわゆるスタンディングギャザーを備えることができる。第１の吸収性本体弾性体１２５（図８ａおよび図９参照）に関して同様の構成を行うことができる。
【０１５９】
図１３ａおよび図１３ｂは、吸収性製品１０１、１０１’の背部から見たときの斜視図であり、図１３ａは、吸収性製品１０１の実施形態の第１の構成を示し、図１３ｂは、吸収性製品１０１’の実施形態の第２の構成を示す。第１の構成は、男性用の吸収性製品１０１を表し、一方、第２の構成は、女性用の吸収性製品１０１’を表している。
【０１６０】
図１３ａに示すように、一実施形態によれば、製品１０１は、互いに所定の距離をおいて製品１０１に沿って取り付けられた複数の弾性糸１３１ａ、１３１ｂ、１３１ｃなどを含む上部と、同じく互いに所定の距離をおいて取り付けられたさらなる複数の弾性糸１３１ｄ、１３１ｅを含む下部とを備える後部弾性構成要素１３１を備える。弾性糸は、図１１を参照しながら上記で説明したように製造プロセスの間に、後部１０４において概ね平行に、すなわち、少なくともユーザの裏側に対応する製品１０１の領域の周りに取り付けられる。弾性糸１３１ａ〜１３１ｅと前記糸１３１ａ〜１３１ｅの延長部との間の距離は、男性ユーザに適合するように選択され、すなわち、男性の人体構造ならびに男性ユーザについてのスタイル、裁断、快適さ、および装着感に関する要件に適合される。さらに、弾性糸１３１ａ〜１３１ｅの弾性特性、特に材料の寸法、弾性力、および選択に関する弾性特性は、製品１０１の男性ユーザに応じて男性ユーザに適するように選択される。
【０１６１】
次に、女性ユーザに適した製品１０１’である図１３ｂを参照すると、この製品１０１’が、図１３ａに示す製品１０１と同様の設計を有し、すなわち、図１３ａに示す上部と同様に位置決めされた複数の弾性糸１３１’ａ、１３１’ｂ、１３１’ｃなどを含む上部を備える後部弾性構成要素１３１’を含むことがわかる。しかし、後部弾性構成要素１３１’は、図１３ａに示す下部とは異なる下部を備える。より正確には、図１３ｂにおける後部弾性構成要素１３１’の下部は、図１３ａに示す下部よりも多い数の弾性糸１３１’ｄ、１３１’ｅ、１３１’ｆ、１３１’ｇを有する。さらに、図１３ｂにおける糸１３１’ｄ、１３１’ｅ、１３１’ｆ、１３１’ｇは、女性の人体構造ならびに女性ユーザに適したスタイル、裁断、快適さ、および装着感に関する要件についても、図１３ａに応じた製品１０１’に適合するために、図６ａに示す糸とは異なる種類であってもよい。
【０１６２】
さらに、図１３ｂでは見えないが、図１３ｂの下部の弾性糸１３１’ｄ、１３１’ｅ、１３１’ｆ、１３１’ｇは、女性ユーザに適し、したがって、図１３ａに示す対応する弾性糸１３１ｄ、１３１ｅとは異なる弾性特性、すなわち、材料の寸法、弾性力、および選択に関する特性を有してもよい。
【０１６３】
男性および女性用吸収性製品１０１、１０１’は、たとえば、様々な特徴に関して異なってもよい。
−  後部弾性構成要素１３１、１３１’において使用される弾性糸の数、
−  弾性糸１３１、１３１’の弾性特性、
−  糸の位置決めおよび隣接する糸間の距離
【０１６４】
たとえば、図１３ａにおける吸収性製品１０１は、２つの弾性糸を含む下部を有してもよく、一方、図１３ｂに示す吸収性製品１０１’における対応する下部は４つの弾性糸を有してもよい。
【０１６５】
男性および女性用吸収性製品用の要件を満たすように異なる特徴の組合せを行うことができる。
【０１６６】
さらに、一実施形態によれば、男性用製品１０１（図６ａ参照）は、約５４０ｄｔｅｘのいくつかの弾性糸を備えてもよく、一方、女性用製品１０１’（図１３ｂ参照）は、約８００ｄｔｅｘのいくつかの弾性糸を備えてもよく、この場合、ｄｔｅｘは対応する弾性糸の連続するフィラメントまたはヤーンの線形密度の単位を表す。このことは、女性用製品１０１’の下部が、製品１０１’の下部を引っ張って女性装着者にぴったりと合せるように、図１３ｂの矢印によって示されるようにより高い弾性力をもたらすように構成されることを意味する。
【０１６７】
さらに、図１３ａおよび図１３ｂには示されていないが、男性用製品１０１および女性用製品１０１’の上部が、異なる弾性特性を有し、すなわち下部と同様に異なる弾性特性を有してもよいことに留意されたい。
【０１６８】
図１３ａおよび図１３ｂは、男性および女性ユーザ用の製品１０１、１０１’がそれぞれ、裁断およびデザインの点でわずかに異なることを示す。男性および女性ユーザについての上述の適合がそれぞれ、上述のような効率的な製造プロセスの目標から逸脱せずに行われることに留意されたい。
【０１６９】
一実施形態によれば、男性用製品の製造と女性用製品の製造との変更を実施しなければならない製造プロセスを、男性用製品に適合された弾性糸を女性用製品に適合された（他の寸法または弾性特性を有する）他の弾性糸に切り替えるだけで行うことができる。代替として、そのような工程の間に糸同士の間の距離を変更することができる。このことはまた、製品の脚部開口部を男性用製品と女性用製品の両方について同じ機器で同様に切り欠くことができることを意味する。
【０１７０】
図１４〜図１６は、本開示によるアレイの一実施形態であって、第１の吸収性パンツ製品２０１（図１４）と、第１の製品と構造は同じであるが色が異なる第２の吸収性パンツ製品３０１（図１５）と、第１の製品と構造は異なるが色が第２の製品と実質的に同じである第３の吸収性パンツ製品４０１（図１６）（すなわち、各布の相互色差△Ｅ＊ａｂが１０未満である）とを備える実施形態を概略的に示す。第１の吸収性パンツ製品はたとえば、説明し図１〜図７に示した弾性膜積層体パンツであってもよく、第２の吸収性パンツ製品はたとえば、説明し図８〜図１３に示した縫い合せパンツであってもよい。図１４〜図１６の各々において、図ａは内側を示し、図ｂは外側を示す。
【０１７１】
吸収性製品２０１、３０１、４０１はそれぞれ、前記腰部の内側において、毎回実質的に同じ位置に配置される情報タグ２１５、３１５、４１５を備える。情報タグの材料は、（第１の製品、それぞれ第２および第３の製品の）第１および第２の色と２０を超える色差△Ｅ＊ａｂだけ異なる第３の色である（すなわち、タグはすべて同じ色を有する）。このようにして、情報タグは、ユーザによって明確に区別可能であり、製品のどちらの側が内側であるかを示す。ユーザが吸収性製品を再使用したい場合、ユーザにはどちらの側が内側であるかが容易にわかり、このことは吸収性製品がフルカラーである場合には困難になることがある。フルカラーとは製品全体が有色であることを意味する。すなわち、たとえば、製品のすべての外側不織シートおよび内側不織シートは、トップシートを含めフルカラーである。すなわち、各シートは、黒、赤、青、紫、オレンジ、黄色、緑、およびインディゴなどの一次色からなるベースカラー、ならびに任意の他の色相または一次色の混合色を有する。これらの色は白と混合されてもよい。外側および内側不織シートの下方のシートもフルカラーであってもよく、製品の色、すなわち、外面および内面の色に影響を与えてもよい。すなわち、各シートは、黒、赤、青、紫、オレンジ、黄色、緑、およびインディゴなどの一次色からなるベースカラー、ならびに任意の他の色相または一次色の混合色を有する。これらの色は白と混合されてもよい。外側または内側不織材料の下方のシートも白色であってもよい。代替として、外側および内側不織シートは薄い白色不織材料または透明不織材料であってもよい。フルカラーの製品を得るには、外側および内側不織シートの下方のシートを有色にし、外側および内側の薄い白色または透明不織シートを通して光って見えるようにすべきである。
【０１７２】
情報タグ２１５、３１５、４１５は、ブランド名、ロゴタイプ、サイズ表示、語「後ろ」または「前」、後／前表示、吸収レベル、イラストなどのシンボルがプリントされてもよい。タグは、筐体の内側装着者対向側、好ましくは後部２０６、３０６、４０６、および／または後部に取り付けられた腰部バンドに固定的に取り付けられる。タグは、製品の前部と後部とを区別するための視覚的インジケータを構成し、それによって製品を装着者に適切に取り付けるのを容易にする。代替として、タグは前部２０５、３０５、４０５および／または前部に取り付けられた腰部バンドに取り付けることができ、小児が製品を適切に履くのを助けることができる。小児は、パンツ製品の前を見て、後部インジケータを探さずに腹部に揃えようとする傾向がある。しかし、成人は、下着の後部に位置する通常の下着のラベルに慣れていることが多い。したがって、成人は、タグまたはラベルをパンツの後部に関連付ける可能性が高い。通常の下着は通常、ブランド名、ロゴタイプ、サイズ、洗濯に関する指示などがプリントされたタグを備えるので、そのようなタグを設けると吸収性製品がより下着に類似したものになり、吸収性製品の見た目が改善される。
【０１７３】
情報タグ２１５、３１５、４１５は、矩形を有するように示されているが、もちろん任意の形状であってもよい。様々なサイズを使用できるが、製品の横方向ｘの寸法が少なくとも３０ｍｍで最大１２０ｍｍであり、長手方向ｙの寸法が少なくとも２０ｍｍで最大９０ｍｍであることが好ましい。
【０１７４】
情報タグ２１５、３１５、４１５は、プリントに適した不織材料で作ることが好ましい。適切な材料の例には、スパンボンド材料、メルトブロー材料、およびその積層体、たとえば、ＳＭＳ材料（スパンボンド−メルトブロー−スパンボンド）、エンボス加工プラスチック膜、プラスチック／膜／不織材料の積層体、布材料などがある。
【０１７５】
情報タグ２１５、３１５、４１５は、完全に取り付けることもまたは部分的に取り付けることもでき、すなわち、取り付けない部分を有することができる。タグが皮膚を刺激しないようにするか、または装着者が製品を装着したときに目立つようにするために、タグの取り付けない部分の曲げ剛性が重要なパラメータになる。通常の下着における通常の洗濯タグが広く受け入れられている。タグ材料は好ましくは、取り付けない部分が皮膚を刺激しないことを確実にするために、Ｋａｗａｂａｔａによる曲げ剛性が０．１ｇｆ−ｃｍ２／ｃｍ以下であり、好ましくは０．０５ｇｆ−ｃｍ２／ｃｍ以下である。この値は、ＭＤおよびＣＤ方向における曲げ剛性の平均値として算出される。
【０１７６】
情報タグ２１５、３１５、４１５の筐体への取付けは、接着剤、超音波溶接、熱結合、またはその他の方法によって行われてもよく、好ましくは接着剤によって行われる。タグを腰部バンドの下に取り付ける場合、腰部バンドを前部／後部に取り付けるのに熱結合または超音波溶接を使用する場合にはタグを熱結合または超音波溶接によって取り付けてもよい。接着剤と熱結合または超音波溶接の組合せを使用してもよい。
【０１７７】
製品の使用時にせん断力にも耐える固定的な付着部を情報タグ２１５、３１５、４１５に設けるために、付着部のせん断力を剥離力とともに十分に高くすべきである。
【０１７８】
タグを製品に取り付けるためのプロセスでは、付着部、たとえば接着剤をタグの少なくとも１つの側縁部まで全体にわたって塗布する必要はなく、それによってプロセスが簡略化され、接着剤がタグ領域の外側に位置して皮膚を刺激する可能性が低減される。
【０１７９】
指先によって情報タグ２１５、３１５、４１５を筐体の周囲の部分から区別する可能性を高めるために、タグは筐体の周囲の部分とは異なる表面構造を有してもよい。
【０１８０】
図１４〜図１６に示す実施形態では、製品はフルカラーであり、すなわち、製品の内側と外側は同じ色を有する。内側布と外側布は同じ色を有することが好ましい。外側布および内側布の下の他の材料／布は有色であってもよく、吸収性製品の色に影響を与えてもよい。
【０１８１】
上述の布のうちで以下の布、すなわち、積層体２０の内側層２１または３６、腰部バンド１８の内側、バックシート２５（外側布とすることもできる）、トップシート２６、カバーストリップ３５は、図１〜図７によりかつ本開示による弾性膜積層体パンツの内側布の例である。これらは、使用時に少なくとも一部がユーザの皮膚に面する材料または布である。内側布は、吸収性製品の内面の色を定める複数の布の一部である。
【０１８２】
上述の布のうちで以下の布、すなわち、積層体２０の外側層２２または３８、腰部バンド１８の外側、股パネル材料２４、および／またはバックシート２５は、図１〜図７によりかつ本開示による弾性膜積層体パンツの外側布の例である。これらは、使用時に少なくとも一部がユーザの衣服に面する材料または布である。外側布は、吸収性製品の外面の色を定める複数の布の一部である。
【０１８３】
上述の布のうちで以下の布、すなわち、後部および前部４用のトップシート１３２および股部用のトップシート１３２は、図８〜図１３によりかつ本開示による縫い合せパンツの内側布の例である。これらは、使用時に少なくとも一部がユーザの皮膚に面する材料または布である。内側布は、吸収性製品の内面の色を定める複数の布の一部である。
【０１８４】
上述の布のうちで以下の布、すなわち、前部３および後部４用のバックシート１３３および股部用のバックシートは、図８〜図１３によりかつ本開示による縫い合せパンツの外側布の例である。これらは、使用時に少なくとも一部がユーザの衣服に面する材料または布である。外側布は、吸収性製品の外面の色を定める複数の布の一部である。
【０１８５】
内面および外面、またはそれらの一部の色は、たとえば、不織布の密度および得られる透明度または不透明度に応じて、布のすべての層の組合せによって得られてもよい。
【０１８６】
図１４ａは、第１の製品２０１の筐体または腰部のそれぞれ前部２０５および後部２０６の内面部分２０５ａ、２０６ａを有するパンツの内面を示す。接続部または股部２１９は、吸収性コアを囲み、トップシート上の周囲ゾーンとも呼ばれる外側ゾーン２１３と、コア２０２の上方の内側または吸収ゾーン２１２とを有する透液性トップシート２１６を頂部に備える。実施形態では、吸収ゾーン２１２内において、コア上に取得層が存在することによって中央領域２１１が区別可能であってもよい。内面には、使用時にユーザの皮膚に面する部分がある。この内面部分は、吸収性製品の内面の色を定める複数の布／材料を備える。それぞれ前部２０５および後部２０６の内面部分２０５ａ、２０６ａならびに様々なゾーンを含むトップシートは、内面の様々な部分の例である。
【０１８７】
図１４ｂは、第１の製品２０１の筐体または腰部のそれぞれ前部２０５および後部２０６の外側部分２０５ｂ、２０６ｂを有するパンツの外面を示す。接続部または股部２１９は、上述の股部パネル材料によって形成されてもよいゾーン２１４を外側に備える。これらは、使用時にユーザの衣服に面する材料である。外側布は、複数の布において吸収性製品の外面の色を定める部分である。外面部分２０５ｂ、２０６ｂおよびゾーン２１４は外面の様々な部分の例である。
【０１８８】
実施形態では、少なくとも外面部分２１４、２０５ｂ、２０６ｂおよび吸収ゾーン２１２を（少なくとも部分的に）囲む透液性トップシート２１６上のゾーン２１３は、後述のように測定されるＣＩＥ  Ｌ＊ａ＊ｂ＊色空間において、Ｌ＊値が８０未満であり、相互色差△Ｅ＊ａｂが１０未満であり、すなわち、これらの布は実質的に同じ色で色付けされる。内側部分２０５ａ、２０６ａも実質的にこれと同じ色を有することが好ましい。
【０１８９】
吸収ゾーン２１２は、Ｌ＊値が９０未満であり、吸収ゾーン２１２および／または外側部分２０５ｂ、２０６ｂを囲むゾーン２１３に対する色差△Ｅ＊ａｂが５よりも大きくてもよい。したがって、吸収ゾーン２１２は、失禁用であることを目立たなくするためにも有色になっているが、周囲ゾーンおよび／または外面との目立つ色差を有してもよく、吸収性コアが存在することを再確認することができる。実施形態では、吸収性コア２０２によって吸収ゾーン２１２の表示が与えられてもよく、または少なくとも吸収性コア２０２の上層がトップシート２１６を通して見えてもよい。このことは、吸収ゾーン２１２の色差が、吸収性コアが存在することをユーザに示し、トップシート２１６を通してコアまたはコアの上層が見えることによって実現されてもよいことを意味する。このようにして、プリントまたはその他の表示をトップシート４１６自体に設ける必要なしに吸収性コアが存在することをユーザに示すことができる。吸収性コア２０２または吸収性コア２０２の少なくとも上層が見えることは、たとえば、トップシート２１６よりも高いＬ＊値を有する（すなわち、より明るい色を有する）材料でコアを作ることによって実現されてもよい。したがって、吸収ゾーン２１２の色は、吸収性コアと（好ましくは基本的に全体的に同じ色／布である）トップシート４１６の色の組合せから得られ、吸収ゾーンを囲む前記ゾーン２１３よりも高いＬ＊値を有しても（すなわち、より明るい色であっても）よく、これらのゾーン間の△Ｌ＊は、たとえば５よりも大きく、好ましくは１０よりも大きく３５未満である。
【０１９０】
実施形態では、吸収性コア２０２またはその上層の材料は、Ｌ＊値が８０よりも大きく、すなわち、トップシート２１６を通してはっきり見えることがある明るい色であってもよい。
【０１９１】
本開示による実施形態では、吸収ゾーン２１２を除くすべての内側部分および外側部分は、Ｌ＊値が８０未満であり、好ましくは６０未満であり（すなわち、比較的暗い色を有し）、ならびに／または、相互色差△Ｅ＊ａｂが１０未満であってもよい。失禁用であることを目立たなくし、ならびに／または、見た目をより下着に類似した外観にするという理由でユーザにはより暗い色が好まれることがわかっている。
【０１９２】
第２の製品３０１は、図１５ａおよび図１５ｂに示されており、構造が第１の製品と実質的に同じであり、すなわち、すべての以下に示す要素、すなわち、内面３０５ａおよび外面３０５ｂの内面部分および外面部分を有する前部３０５と、内面３０６ａおよび外面３０６ｂの内面部分および外面部分を有する後部３０６と、外側ゾーン３１３、吸収性コア３０２によって画定される吸収ゾーン３１２、取得層によって画定される中央ゾーン３１１を含む透液性トップシート３１６を備えるとともに、外側部分３１４上にある股部３１９は、構造が第１の製品のそれぞれの要素と同じである。違いは、第２の製品３０１の内面部分および外面部分は、第１の製品２０１のそれぞれの部分よりも暗い色を有することである。
【０１９３】
第３の製品４０１は、図１６ａおよび図１６ｂに示されており、図１５ａおよび図１５ｂに示す第２の製品と構造が異なり、特に、第３の製品４０１は女性ユーザ用と見なされてもよく、一方、第２の製品は男性ユーザ用と見なされてもよい。図示の構造の違いは、前部４０５の形状または裁断および股部４１９上の取得層４１１の位置である。他の要素、内面４０６ａおよび外面４０６ｂの内側部分および外側部分を有する後部４０６と、外側ゾーン４１３、吸収性コア４０２によって画定される吸収ゾーン４１２を含む透液性トップシート４１６を有するとともに、外側部分４１４上にある股部４１９（中央ゾーン／取得層４１１を除く）は、構造が同じである。第３の製品４０１の可視要素、具体的には外面部分４０５ｂ、４０６ｂ、４４４および内面部分４０５ａ、４０６ａ、４１６は第２の製品３０１のそれぞれの内側部分および外側部分と同じ色を有する。
【０１９４】
実施形態では、製品２０１、３０１、４０１はフルカラーであってもよく、すなわち、各製品は、黒、赤、青、紫、オレンジ、黄色、緑、およびインディゴなどの一次色からなるベースカラー、ならびに任意の他の色相または一次色の混合色を有する。これらの色は白と混合されてもよい。すなわち、材料のシート、すなわち、パンツ製品の外側および内側の色を定める複数の布はフルカラーであってもよく、すなわち、各布は、黒、赤、青、紫、オレンジ、黄色、緑、およびインディゴなどの一次色からなるベースカラー、ならびに任意の他の色相または一次色の混合色を有する。これらの色は白と混合されてもよい。色は、材料の製造時に、たとえば、含浸によって材料に付加することができ、または後にプリント技法によって供給することができる。プリント技法の例は、フレキソ印刷、インクジェットプリンタなどとすることができる。色付けは、着色剤を基材に含浸させることによって行ってもよい。染料、顔料、またはそれらの組合せなどの着色剤を重合体、樹脂、または不織材料などの基材の組成に含浸させてもよい。たとえば、膜、繊維、またはフィラメントの形成時に着色剤をポリマーの溶融バッチに添加してもよい。すべての方法は当技術分野で公知である。
【０１９５】
色測定
色は、１９７６年に国際照明委員会（ＣＩＥ）によって確立されたように、Ｌ＊ａ＊ｂ＊色空間内で判定される。色空間は３つの軸に分割される。Ｌ＊は、明度を表し、軸は０（黒）から１００（白）まで延びる。軸ａ＊は緑から赤まで延び、この場合、正の値はより飽和度の高い赤を示し、負の値はより飽和度の高い緑を示す。ｂ＊−軸は青から黄色まで延び、この場合、正の値はより飽和度の高い黄色を示し、負の値はより飽和度の高い青を示す。この色空間は、当業界では公知であり、一般にＣＩＥ  Ｌ＊ａ＊ｂ＊またはＣＩＥＬＡＢ（１９７６）と呼ばれる。
【０１９６】
適切な分光光度計は、ＣＭ−５（同等の装置を使用することができる）という名称で、コニカミノルタから入手可能である。この装置は、サンプルを拡散照明し法線に対して８度で光を検出する（ｄｉ：８°、ｄｅ：８°ジオメトリ）。この場合、装置をＳＣＥ（正反射光を除く）に設定する。標準光源Ｄ６５を利用し、視野角を１０°に設定する。通常、測定領域の直径は３０ｍｍにすべきである。しかし、関連するサンプル領域が小さい場合（直径が３０ｍｍ未満）、より小さい分光光度計開口を利用する（関連する色領域を逸脱せずにできるだけ大きい開口を利用する）。
【０１９７】
色空間ＣＩＥ  Ｌ＊ａ＊ｂ＊内の２つの色の差をデルタＥ値（△Ｅ＊ａｂ）によって特徴付ける。３つのそれぞれの軸上の色同士の間の差を自乗し、その後差の和を求め、和から根を導出する。
【０１９８】
【数１】
2021526420.tif 000003
【０１９９】
以下の測定手順を使用してもよい。測定すべき部分を有するパンツ部分を装置の記録開口の上に配置する。具体的には、サンプルを分光光度計開口の上に平滑に配置する。あらゆる弾性要素がその収縮または非伸長状態のままであるべきである。白色セラミックタイル（コニカミノルタから入手可能）をサンプル上に（サンプルの上方に）標準的な裏打ちとして配置する。セラミックタイルはＬ＊  ９６．０、ａ＊  ０．１、およびｂ＊  ２，８５の各値を有する。装置の記録開口をサンプル／製品に接触させて配置する。次いで、測定を開始することができる。吸収性製品はパンツの形をしているので、前部と後部を継目として接合する側部が引き裂かれ／切り抜かれている場合がある。しかし、継目が引き裂かれ／切り抜かれていない製品に測定を実施してもよい。
【０２００】
（実施例）
上記の手順を後述の実施例に使用した。
【０２０１】
吸収性製品はパンツの形をしているので、前部と後部の側部が継目として接合される。継目が引き裂かれ／切り抜かれていない製品に対して測定を実行した。
【０２０２】
測定すべき吸収性製品の部分を（通常直径３０ｍｍの）開口の上に配置し、次いで製品上に白色セラミックタイルを配置する。上記の部分を分光光度計開口の上に平坦で平滑に配置する。あらゆる弾性要素がその収縮または非伸長状態のままであるべきである。白色セラミックタイル（コニカミノルタ製）をサンプル上に（サンプルの上方に）標準的な裏打ちとして配置する。セラミックタイルはＬ＊  ９６．０、ａ＊  ０．１、およびｂ＊  ２，８５の各値を有する。白色タイルは、ユーザが外側からおむつを見るときの白い皮膚を模倣している。装置の記録開口をサンプル／製品に接触させて配置する。次いで、測定を開始することができる。以下の例では、タイルはそれほど光って見えないが、非常に薄い筐体または薄い不織積層体の場合、Ｌ値を高めることができる。
【０２０３】
（実施例１）
図８〜図１３に関連して説明したパンツと同様の構成を有する縫い合わされた黒色パンツ製品
腰部パネルは、間に弾性糸が配置された２つの非弾性黒色不織層からなる積層体で形成される。弾性糸は製品の横方向に交差するように配置される。弾性糸の例は、ＬＹＣＲＡ商標の下で販売されている。２つの不織層は２つの方法によって互いに接続される。一方の不織層上に構造用接着剤が被覆され、不織層間の弾性糸上に弾性接着剤が被覆される。２つの不織層は、疎水性スピンボンドから形成され、単位面積当たり重量が１８ｇｓｍ（グラム平方メートル）である。この例では、Ａｖｉｎｔｉ社製の黒色スピンボンド不織材料１８ｇｓｍを使用した。
【０２０４】
コアの下のバックシートは、腰部パネルと同じ不織材料を備え、ポリエチレンの有色プラスチック膜に取り付けられ、黒色製品の場合単位面積当たり重量は１５ｇｓｍである（非通気性膜）。膜はＬ＊＝  ２６，３、ａ＊：  −０．１、およびｂ＊＝−０，３の各値を有する。白色セラミックタイルを背景として、膜を単一プライとして測定した（タイルはＬ＊  ９６．０、ａ＊  ０．１、およびｂ＊  ２，８５の各値を有する）。すべての測定において同じタイルを背景として使用するが、単一プライバックシート膜と同程度に薄い材料には、より大型で不透明な物体よりもやや大きい影響が与えられる。
【０２０５】
コアの上のトップシートおよびコアの外側の領域は、透液性を有し、スピンボンドされた１６ｇｓｍ疎水性材料である。この縫い合せ製品には、Ｆｉｔｅｓａ社製の１６ｇｓｍスピンボンド不織材料を使用した。
【０２０６】
製品は、有色トップシートの下に白色吸収性コアを有していた。様々な部分に対して以下の値が測定された。
【０２０７】
【表１】
2021526420.tif 000004
【０２０８】
（実施例２）
黒色弾性膜積層体パンツ  −  図１〜図７に関連して説明したパンツと同様の構成
腰部パネルは、間に黒色弾性膜（３５ｇｓｍ、Ｔｒｅｄｅｇａｒ社製）が配置された２つの非弾性黒色不織層からなる積層体で形成される。
【０２０９】
２つの不織層は疎水性スピンボンド材料で形成され、単位面積当たり重量はそれぞれ１６ｇ／ｍ＜２＞である。この製品には、Ｂｅｒｒｙ，  Ｆｉｂｅｒｗｅｂ  Ｆｒａｎｃｅ  ＳＡＳ社製のＳ−Ｔｅｘ  Ｎｏｉｒ  Ｃａｌ  １２％を使用した。２つの不織層を超音波溶接によって膜に接続する。
【０２１０】
コアの下のバックシートは、腰部パネルが有するものと同じ不織材料を備える。不織材料を単位面積当たり重量が１５ｇｓｍのポリエチレンの黒色プラスチック膜に取り付ける。この膜はＬ＊＝  ２６，３、ａ＊：  −０．１、およびｂ＊＝−０，３の各値を有する。白色セラミックタイルを背景として、膜を単一プライとして測定した（タイルはＬ＊  ９６．０、ａ＊  ０．１、およびｂ＊  ２，８５の各値を有する）。すべての測定において同じタイルを背景として使用するが、単一プライバックシート膜と同程度に薄い材料には、より大型で不透明な物体よりもやや大きい影響が与えられる。
【０２１１】
トップシートは、透液性を有し、この例では腰部パネルと同じ不織材料、すなわち、Ｂｅｒｒｙ，  Ｆｉｂｅｒｗｅｂ  Ｆｒａｎｃｅ  ＳＡＳ社製のスピンボンドされた１５，８ｇｓｍ  Ｓ−Ｔｅｘ  Ｎｏｉｒ  Ｃａｌ  １２％で形成される。トップシートは疎水性を有するように処理されている。
【０２１２】
製品は有色トップシートの下に白色吸収性コアを有していた。様々な部分において以下の値が測定された。
【０２１３】
【表２】
2021526420.tif 000005
【０２１４】
（実施例３）
ワイン色弾性膜積層体パンツ  −  図１〜図７に関連して説明したパンツと同様の構成
腰部パネルは、間に黒色弾性膜（３５ｇｓｍ、Ｔｒｅｄｅｇａｒ社製）が配置された２つのワイン色不織層からなる積層体で形成される。
【０２１５】
２つの不織層は疎水性スピンボンド材料で形成され、単位面積当たり重量はそれぞれ１６ｇ／ｍ＜２＞である。この製品には、Ｂｅｒｒｙ，  Ｆｉｂｅｒｗｅｂ  Ｆｒａｎｃｅ  ＳＡＳ社製のＳ−Ｔｅｘ  Ｎｏｉｒ  Ｃａｌ  １２％を使用した。２つの不織層を超音波溶接によって膜に接続する。
【０２１６】
吸収性コアの下のバックシートは、腰部パネルと同じ不織材料を備える。不織材料を単位面積当たり重量が１５ｇｓｍのポリエチレンの黒色プラスチック膜に取り付ける。この膜はＬ＊＝４２．２、ａ＊＝−２５，５、およびｂ＊＝−−４，７の各値を有する。白色セラミックタイルを背景として、膜を単一プライとして測定した（タイルはＬ＊  ９６．０、ａ＊  ０．１、およびｂ＊  ２，８５の各値を有する）。すべての測定において同じタイルを背景として使用するが、単一プライバックシート膜と同程度に薄い材料には、より大型で不透明な物体よりもやや大きい影響が与えられる。
【０２１７】
トップシートは、透液性を有し、この例では腰部パネルと同じ不織材料、すなわち、Ｂｅｒｒｙ，  Ｆｉｂｅｒｗｅｂ  Ｆｒａｎｃｅ  ＳＡＳ社製のスピンボンドされた１５，８ｇｓｍ＜２＞，  Ｓ−Ｔｅｘ  Ｎｏｉｒ  Ｃａｌ  １２％で形成される。トップシートは疎水性を有するように処理されている。
【０２１８】
製品は有色トップシートの下に白色吸収性コアを有していた。様々な部分において以下の値が測定された。
【０２１９】
【表３】
2021526420.tif 000006
【０２２０】
（実施例４）
縫い合わされたピンクベージュパンツ  −  図８〜図１３に関連して説明したパンツと同様の構成
腰部パネルは、間に弾性糸が配置された２つの非弾性ピンクベージュ色不織層からなる積層体で形成される。弾性糸は製品の横方向に交差するように配置される。弾性糸の例は、ＬＹＣＲＡ商標またはＳＰＡＮＤＥＸ商標の下で販売されている。２つの不織層は２つの方法によって互いに接続される。一方の不織層上に構造用接着剤が被覆され、不織層間の弾性糸上に弾性接着剤が被覆される。２つの不織層は、疎水性スピンボンド材料から形成され、単位面積当たり重量がそれぞれ１８ｇｓｍである。この例では、Ａｖｉｎｔｉ社製の黒色スピンボンド不織材料１８ｇｓｍを使用した。
【０２２１】
コアの下のバックシートは、腰部パネルと同じ不織材料を備え、ポリエチレンの有色プラスチック膜に取り付けられ、黒色製品の場合単位面積当たり重量は２０ｇｓｍである（ピンク、通気性膜）。膜はＬ＊＝  ８３，５、ａ＊＝８，９、およびｂ＊＝−８，６の各値を有する。白色セラミックタイルを背景として、膜を単一プライとして測定した（タイルはＬ＊  ９６．０、ａ＊  ０．１、およびｂ＊  ２，８５の各値を有する）。すべての測定において同じタイルを背景として使用するが、単一プライバックシート膜と同程度に薄い材料には、より大型で不透明な物体よりもやや大きい影響が与えられる。
【０２２２】
コアの上のトップシートおよびコアの外側の領域は、透液性を有し、スピンボンドされた１６ｇｓｍ疎水性材料である。この縫い合せ製品には、Ｆｉｔｅｓａ社製の１６ｇｓｍスピンボンド不織材料を使用した。
【０２２３】
製品は、有色トップシートの下に白色吸収性コアを有していた。様々な部分に対して以下の値が測定された。
【０２２４】
【表４】
2021526420.tif 000007
【０２２５】
これらの例は、それぞれに異なる種類の吸収性パネル製品がそれぞれに異なる種類の色を有することを示す。製品は、内面と外面の両方が有色である。吸収ゾーンは、失禁用であることを目立たなくするために有色になっているが、周囲ゾーンおよび外面との目立つ色差を有する。しかし、トップシートは、吸収ゾーンが周囲ゾーンおよび外面から目立たないようにフルカラーであってもよい。どちらの場合も、製品の第１および第２の色とは２０を超える色差△Ｅ＊ａｂだけ異なる第３の色の情報タグが、ピンクベージュ製品などの、明るい色の製品であっても、どちらの側が内側かを明確に示す。
【０２２６】
上記の表の部分「パネル（外側、部分４５ａ、４６ｂ）」は、パネルの内側部分と見なすこともできる。その理由は、弾性膜または弾性糸の各側に同じ不織材料が配置され、したがって、腰部パネルが、製品の内側と製品の外側の両方で同じ色を示すからである。
【０２２７】
スタンディングギャザーまたは脚部弾性体を形成するための別個の材料を周囲ゾーンの領域でトップシートに取り付ける場合、示されるように、トップシートが設けられる部分を測定すべきである。これはたとえば、パンツ製品の前部とすることも、または後部とすることもできる。その理由は通常、スタンディングギャザーおよび脚部弾性体は、股部の吸収材の側面にのみ取り付けられるからである。スタンディングギャザーまたは脚部弾性体を形成するための別個の材料は、有利なことに他の部分、たとえば、外面と同じ色にされ、すなわち、色差△Ｅ＊ａｂが１０未満になる。
【０２２８】
上記の例はすべてフルカラーの吸収性製品であり、すなわち、各吸収性製品は、黒、赤、青、紫、オレンジ、黄色、緑、およびインディゴなどの一次色からなるベースカラー、ならびに任意の他の色相または混合色を有する。これらの色は白と混合されてもよい。材料のシート、すなわち、不織膜とプラスチック膜はどちらもフルカラーであり、すなわち、これらの膜は、黒、赤、青、紫、オレンジ、黄色、緑、およびインディゴなどの一次色からなるベースカラー、ならびに任意の他の色相または一次色の混合色を有する。これらの色は白と混合されてもよい。
【０２２９】
フルカラーパンツは、製品の外側に、失禁用であることを目立たなくする花などのグラフィックを追加的に有してもよい。この場合、グラフィックではなく、背景色が測定され比較されるものとする。
【符号の説明】
【０２３０】
１  弾性膜積層体型吸収性製品
２  吸収性コア
３  コア領域
４  筐体、筐体領域
５  前部
６  後部
７  前部横縁部、横端縁部
８  第１の長手方向側縁部
９  第２の長手方向側縁部
１０  後部横端縁部、横端縁部
１１  第１の長手方向側縁部
１２  第２の長手方向側縁部
１３  第１の側部継目
１４  第２の側部継目
１５  腰部開口部
１６  第１の脚部開口部
１６ａ、１６ｂ、１７ａ、１７ｂ  点
１７  第２の脚部開口部
１８  弾性腰部バンド、弾性腰部バンド部分
１８ａ  弾性部材
１９  接続部
１９ａ  股部、股部領域、股領域
１９ｂ  前部
１９ｃ  後部
２０  弾性積層体、弾性積層体材料、弾性ウェブ材料
２１  内側繊維層、繊維材料の内側層
２２  外側繊維層、繊維材料の外側層
２３  弾性膜、開口弾性膜、弾性膜層
２４  股部パネル材料
２５  バックシート材料、バックシート
２６  透液性トップシート材料、トップシート
２７、２８  第１の弾性部材、脚部弾性部材
２９、３０  第２の弾性部材、脚部弾性部材、脚部弾性体
３１、３２  領域
３３、３４  継目
３５  カバーストリップ
３６  内側不織層、ベース層不織布
３７  弾性膜
３７ａ  横縁部
３８  外側不織層、カバー層不織布
３９、４０  脚部弾性部材
１０１  パンツ型吸収性製品、男性用の吸収性製品
１０１’  女性用の吸収性製品
１０２  シングルピース筐体
１０３  前部
１０４  後部
１０５  股部、断面
１０６  中心線
１０７、１０８  腰部縁部
１０９、１１０  脚部縁部
１１１、１１２  側縁部
１１３、１１４  脚部縁部
１１５、１１６  側縁部
１１７  吸収性本体、吸収性コア
１１８、１１９  側部接続部
１２０  腰部開口部
１２１、１２２  脚部開口部
１２３  弾性腰部構成要素、弾性要素
１２４  弾性脚部構成要素、弾性脚部要素、弾性要素
１２５  第１の吸収性本体弾性体、弾性吸収性本体構成要素、弾性要素
１２６  第２の吸収性本体弾性体、弾性吸収性本体構成要素、弾性要素
１２８  第１の股部縁部、長手方向股部縁部
１２９  第２の股部縁部、長手方向股部縁部
１３０  前部弾性構成要素
１３１、１３１’  後部弾性構成要素
１３１ａ、１３１ｂ、１３１ｃ、１３１ｄ、１３１ｅ  弾性糸
１３１’ａ、１３１’ｂ、１３１’ｃ、１３１’ｄ、１３１’ｅ、１３１’ｆ、１３１’ｇ  弾性糸
１３２  透液性トップシート
１３３  不透液性バックシート
１３３ａ  折り目
１３４、１３５  縁部
１３６  第１の縁部
１３７  第２の縁部
１３８  第１の連続的なシート
１３８ａ  第１のウェブ部分、連続シート
１３８ｂ  第２のウェブ部分、連続シート
１３９  第１のストリップ
１４０  第２のストリップ
１４１  第３のストリップ
１４２  第４のストリップ
１４３  第５のストリップ
１４４  第６のストリップ
１４５  連続シート
１４５ａ  第３のウェブ部分
１４５ｂ  第４のウェブ部分
１４６  第３の連続シート
１４７  第７のストリップ
１４８  第８のストリップ
１４９  第４の連続シート
１５２  部分
１５５  脚部開口部
１５７  弾性要素
１５８  ウェブ材料
１５９  接着剤
２０１  第１の吸収性パンツ製品
２０２  吸収性コア
２０５、３０５、４０５  前部
２０５ａ、２０６ａ  内面部分、内側部分
２０５ｂ、２０６ｂ  外面部分
２０６、３０６、４０６  後部
２１１  中央領域
２１２、３１２、４１２  吸収ゾーン
２１３  外側ゾーン
２１４  ゾーン、外面部分
２１５、３１５、４１５  情報タグ
２１６、３１６  透液性トップシート
２１９、３１９、４１９  股部
３０１  第２の吸収性パンツ製品
３１１  中央ゾーン
４０１  第３の吸収性パンツ製品
４０２  吸収性コア
４０５ａ  内面部分
４０６ａ  内面部分、内面
４１６  内面部分、透液性トップシート
４０５ｂ、４０６ｂ、４４４  外面部分
４１１  取得層
４１３  外側ゾーン
４１４  外側部分
ｄ  距離
ＩＭＧ  噛み合い歯車
ｐ  周方向長さ
ｘ  横方向
ｙ  長手方向
【図１】
2021526420.tif 000008
【図２】
2021526420.tif 000009
【図３】
2021526420.tif 000010
【図４】
2021526420.tif 000011
【図５】
2021526420.tif 000012
【図６】
2021526420.tif 000013
【図７】
2021526420.tif 000014
【図８Ａ−８Ｂ】
2021526420.tif 000015
【図９】
2021526420.tif 000016
【図１０】
2021526420.tif 000017
【図１１Ａ】
2021526420.tif 000018
【図１１Ｂ】
2021526420.tif 000019
【図１１Ｃ】
2021526420.tif 000020
【図１１Ｄ】
2021526420.tif 000021
【図１１Ｅ】
2021526420.tif 000022
【図１１Ｆ】
2021526420.tif 000023
【図１２】
2021526420.tif 000024
【図１３Ａ】
2021526420.tif 000025
【図１３Ｂ】
2021526420.tif 000026
【図１４Ａ】
2021526420.tif 000027
【図１４Ｂ】
2021526420.tif 000028
【図１５Ａ】
2021526420.tif 000029
【図１５Ｂ】
2021526420.tif 000030
【図１６Ａ】
2021526420.tif 000031
【図１６Ｂ】
2021526420.tif 000032
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
少なくとも１つの第１の使い捨てパンツ製品と少なくとも１つの第２の使い捨てパンツ製品とを備えるアレイであって、
各々の第１の使い捨てパンツ製品は、使用時にユーザの腰部を囲む腰部と、腰部の前部と後部とを接続する股部であって、人体滲出物を吸収するための吸収性コアおよび前記吸収性コアを覆う透液性トップシートを備える股部とを備える第１の構造を有し、前記製品は、使用時に前記ユーザの皮膚に面する内面と、前記内面と反対側にあり、使用時に前記ユーザの衣服に面する外面とを有し、前記製品は、前記製品の前記内面および前記外面の色を定める複数の布から構成され、前記透液性トップシートは、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、
各々の第２の使い捨てパンツ製品は、使用時にユーザの腰部を囲む腰部と、前記腰部の前部と後部とを接続する股部であって、人体滲出物を吸収するための吸収性コア、および前記吸収性コアが位置する吸収ゾーンを示しながら前記吸収性コアを覆っている透液性トップシートを備える股部とを備える第２の構造を有し、前記製品は、使用時に前記ユーザの皮膚に面する内面と、前記内面と反対側にあり、使用時に前記ユーザの衣服に面する外面とを有し、前記製品は、前記製品の前記内面および前記外面の色を定める複数の布から構成され、前記透液性トップシートは、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、
各々の第１の使い捨てパンツ製品について、少なくとも前記外面および前記周囲ゾーンは、実質的に同じ第１の色を有し、前記第１の色は、ＣＩＥ  Ｌ＊ａ＊ｂ＊色空間において、Ｌ＊値が８０未満であり、相互色差△Ｅ＊ａｂが１０未満であり、
各々の第２の使い捨てパンツ製品について、少なくとも前記外面および前記周囲ゾーンは、実質的に同じ第２の色を有し、前記第２の色は、Ｌ＊値が８０未満であり、相互色差△Ｅ＊ａｂが１０未満であり、
前記第１および／または第２の使い捨てパンツ製品の前記内面は、内面部分からなり、前記第１の製品の前記外面およびすべての前記内面部分（場合によっては前記吸収ゾーンを除く）は、Ｌ＊値が８０未満であり、相互色差△Ｅ＊ａｂが１０未満であり、ならびに／または、前記第２の製品の前記外面およびすべての前記内面部分（場合によっては前記吸収ゾーンを除く）は、Ｌ＊値が８０未満であり、相互色差△Ｅ＊ａｂが１０未満であり、
前記第１および第２の使い捨てパンツ製品の各々は、前記腰部の内側に配置されて各製品の前記前部および前記後部とを区別するための視覚的インジケータを提供する情報タグを備え、前記情報タグの材料は、第３の色であり、前記第３の色は、前記第１および前記第２の色とは２０を超える色差△Ｅ＊ａｂだけ異なり、
前記第１の構造は前記第２の構造とは構造的に異なり、ならびに／または、前記第１の色は前記第２の色とは１０を超える色差△Ｅ＊ａｂだけ異なる、アレイ。
【請求項２】
前記第１および／または第２の使い捨てパンツ製品の前記外面は、外面部分からなり、前記吸収ゾーンを除く前記第１の製品のすべての前記内面部分および前記外面部分は、Ｌ＊値が８０未満であり、相互色差△Ｅ＊ａｂが１０未満であり、ならびに／または、前記吸収ゾーンを除く前記第２の製品のすべての前記内面部分および前記外面部分は、Ｌ＊値が８０未満であり、相互色差△Ｅ＊ａｂが１０未満である、請求項１に記載のアレイ。
【請求項３】
前記第１および／または第２の使い捨てパンツ製品の前記外面は、外面部分からなり、前記第１および／または第２の使い捨てパンツ製品の前記内面は、内面部分からなり、前記吸収ゾーンを除く前記第１の製品のすべての前記内面部分および前記外面部分は、Ｌ＊値が６０未満であり、相互色差△Ｅ＊ａｂが１０未満であり、ならびに／または、前記吸収ゾーンを除く前記第２の製品のすべての前記内面部分および前記外面部分は、Ｌ＊値が６０未満であり、相互色差△Ｅ＊ａｂが１０未満である、請求項１に記載のアレイ。
【請求項４】
前記第１および／または第２の使い捨てパンツ製品の前記外面は、外面部分からなり、前記第１の製品のすべての前記内面部分および前記外面部分は、Ｌ＊値が８０未満であり、相互色差△Ｅ＊ａｂが１０未満であり、ならびに／または、前記第２の使い捨てパンツ製品のすべての前記内面部分および前記外面部分は、Ｌ＊値が８０未満であり、相互色差△Ｅ＊ａｂが１０未満である、請求項１に記載のアレイ。
【請求項５】
前記第１および／または第２の使い捨てパンツ製品の前記外面は、外面部分からなり、前記第１の製品のすべての前記内面部分および前記外面部分は、Ｌ＊値が６０未満であり、相互色差△Ｅ＊ａｂが１０未満であり、ならびに／または、前記第２の使い捨てパンツ製品のすべての前記内面部分および外面部分は、Ｌ＊値が６０未満であり、相互色差△Ｅ＊ａｂが１０未満である、請求項１に記載のアレイ。
【請求項６】
前記第１および／または第２の使い捨てパンツ製品の前記吸収ゾーンは、Ｌ＊値が９０未満であり、前記周囲ゾーンおよび／または前記外面に対して色差△Ｅ＊ａｂが５を超える、請求項１に記載のアレイ。
【請求項７】
前記構造の違いは、前記第１の製品が男性ユーザに対して最適化され、一方、前記第２の製品が女性ユーザに対して最適化されている点である、請求項１から６のいずれか一項に記載のアレイ。
【請求項８】
前記構造の違いは、前記第１および前記第２の製品が異なるサイズを有する点である、請求項１から６のいずれか一項に記載のアレイ。
【請求項９】
前記構造の違いは、前記第１の製品が前記腰部に弾性糸を備える縫い合せパンツ製品であり、一方、前記第２の製品がそのような縫い合せパンツ製品ではない点である、請求項１から６のいずれか一項に記載のアレイ。
【請求項１０】
前記構造の違いは、前記第１の製品が前記腰部に弾性積層体を備える層状パンツ製品であり、一方、前記第２の製品がそのような層状パンツ製品ではない点である、請求項１から６のいずれか一項に記載のアレイ。
【請求項１１】
前記第１の色と前記第２の色とは実質的に同じである、請求項１から１０のいずれか一項に記載のアレイ。
【請求項１２】
前記第１の色と前記第２の色とは、１０を超える色差△Ｅ＊ａｂだけ異なる、請求項１から１０のいずれか一項に記載のアレイ。
【請求項１３】
前記第１および第２の色はＬ＊値が６０未満である、請求項１から１２のいずれか一項に記載のアレイ。
【請求項１４】
前記第１および第２の製品の各々について、前記腰部の前記後部に前記情報タグが配置される、請求項１から１３のいずれか一項に記載のアレイ。
【請求項１５】
前記第１および第２の製品の各々について、前記吸収性コアは、前記透液性トップシートを通して可視である、請求項１から１４のいずれか一項に記載のアレイ。
【請求項１６】
前記情報タグはプリントまたはエンボス加工される、請求項１から１５のいずれか一項に記載のアレイ。
【請求項１７】
前記第１および第２の製品の各々について、前記情報タグ上にロットコードまたはロット番号または製造コードが位置する、請求項１から１６のいずれか一項に記載のアレイ。
【請求項１８】
使い捨てパンツ製品のアレイを製造する方法であって、
使用時にユーザの腰部を囲む腰部と、前記腰部の前部と後部とを接続する股部であって、人体滲出物を吸収するための吸収性コアおよび前記吸収性コアを覆う透液性トップシートを備える股部とを備える第１の構造を有する複数の第１の製品を製造するステップであって、前記製品が、使用時に前記ユーザの皮膚に面する内面と、前記内面と反対側にあり、使用時に前記ユーザの衣服に面する外面とを有し、前記製品が、前記製品の前記内面および前記外面の色を定める複数の布から構成され、前記透液性トップシートが、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、各々の前記第１の使い捨てパンツ製品について、少なくとも前記外面および前記周囲ゾーンが、実質的に同じ第１の色を有し、前記第１の色は、ＣＩＥ  Ｌ＊ａ＊ｂ＊色空間において、Ｌ＊値が８０未満であり、相互色差△Ｅ＊ａｂが１０未満である、ステップと、
使用時に前記ユーザの腰部を囲む腰部と、前記腰部の前部と後部とを接続する股部であって、人体滲出物を吸収するための吸収性コアおよび前記吸収性コアを覆う透液性トップシートを備える股部とを備える第１の構造を有する複数の第２の製品を製造するステップであって、前記製品が、使用時に前記ユーザの皮膚に面する内面と、前記内面と反対側にあり、使用時に前記ユーザの衣服に面する外面とを有し、前記製品が、前記製品の前記内面および前記外面の色を定める複数の布から構成され、前記透液性トップシートが、前記布のうちの１つであり、前記内面の一部として、前記トップシート上に吸収ゾーンが画定され、前記トップシートの下に前記吸収性コアが位置し、前記内面の一部として、前記トップシート上に、前記吸収ゾーンに隣接し前記吸収ゾーンを少なくとも部分的に囲む周囲ゾーンが画定され、各々の第２の使い捨てパンツ製品について、少なくとも前記外面および前記周囲ゾーンが、実質的に同じ第２の色を有し、前記第２の色は、Ｌ＊値が８０未満であり、相互色差△Ｅ＊ａｂが１０未満であり、前記第１および／または第２の使い捨てパンツ製品の前記内面は、内面部分からなり、前記第１の製品の前記外面およびすべての前記内面部分（場合によっては前記吸収ゾーンを除く）は、Ｌ＊値が８０未満であり、相互色差△Ｅ＊ａｂが１０未満であり、ならびに／または、前記第２の製品の前記外面およびすべての前記内面部分（場合によっては前記吸収ゾーンを除く）は、Ｌ＊値が８０未満であり、相互色差△Ｅ＊ａｂが１０未満であり、前記第１および第２の使い捨てパンツ製品の各々について、前記第１の構造が前記第２の構造とは構造的に異なり、ならびに／または、前記第１の色は前記第２の色とは１０を超える色差△Ｅ＊ａｂだけ異なる、ステップと、
前記第１および第２の製品の各々の前記腰部の内側に情報タグを取り付けることにより各製品の前記前部および前記後部とを区別するための視覚的インジケータを提供するステップであって、情報タグの材料が、前記第１および第２の色とは２０を超える色差△Ｅ＊ａｂだけ異なる第３の色である、ステップとを含む方法。
【国際調査報告】
2021526420.tif 000033
2021526420.tif 000034
2021526420.tif 000035
2021526420.tif 000036